(57)【要約】【課題】光漏れを抑制する。【解決手段】液晶表示装置１０は、ＬＥＤ１７と、ＬＥＤ１７の光を利用して表示を行う液晶パネル１１と、液晶パネル１１に対してその表示面１１ｃ側とは反対側に重なるように配されるとともに端面がＬＥＤ１７と対向状に配される導光板１６と、液晶パネル１１及び導光板１６を表示面１１ｃ側とその反対側とから挟み込む形で保持するフレーム１３及びシャーシ１４を有し、フレーム１３及びシャーシ１４の間にＬＥＤ１７を収容してなる保持部材ＨＭと、フレーム１３に設けられるとともに液晶パネル１１を表示面１１ｃ側から押さえるパネル押さえ部２９と、パネル押さえ部２９に設けられるとともに液晶パネル１１の端面１１ａＥＦ，１１ｂＥＦに接する形で配される遮光部３０であって、少なくとも遮光部３０よりも外側に存する光が液晶パネル１１の端面１１ａＥＦ，１１ｂＥＦに直接入光するのを遮光する遮光部３０と、を備える。【選択図】図８
2013171619.tif 000002
【特許請求の範囲】
【請求項１】
光源と、
前記光源の光を利用して表示を行う表示パネルと、
前記表示パネルに対してその表示面側とは反対側に重なるように配されるとともに端面が前記光源と対向状に配される導光板と、
前記表示パネル及び前記導光板を前記表示面側とその反対側とから挟み込む形で保持する一対の保持部を有し、これら一対の前記保持部の間に前記光源を収容してなる保持部材と、
一対の前記保持部のうち前記表示面側に配される前記保持部に設けられるとともに前記表示パネルを前記表示面側から押さえるパネル押さえ部と、
前記パネル押さえ部に設けられるとともに前記表示パネルの端面に接する形で配される遮光部であって、少なくとも前記遮光部よりも外側に存する光が前記表示パネルの端面に直接入光するのを遮光する遮光部と、を備える表示装置。
【請求項２】
前記遮光部及び前記パネル押さえ部は、共に弾性材料からなる請求項１記載の表示装置。
【請求項３】
前記遮光部は、前記パネル押さえ部に一体形成されている請求項１または請求項２記載の表示装置。
【請求項４】
前記遮光部及び前記パネル押さえ部は、共に遮光性材料からなる請求項１から請求項３のいずれか１項に記載の表示装置。
【請求項５】
一対の前記保持部のうち前記表示面側に配される前記保持部には、前記表示パネル側に突出するとともに前記パネル押さえ部の内端部に当接することで、前記遮光部及び前記パネル押さえ部を位置決めする位置決め部が設けられている請求項１から請求項４のいずれか１項に記載の表示装置。
【請求項６】
前記表示パネルは、前記導光板側に配される第１基板と、前記導光板側とは反対側に配されて前記パネル押さえ部によって押さえられる第２基板とを有しており、
前記遮光部は、少なくとも前記第１基板の端面に接する形で配されている請求項１から請求項５のいずれか１項に記載の表示装置。
【請求項７】
前記遮光部は、前記第１基板及び前記第２基板の各端面にそれぞれ接する形で配されている請求項６記載の表示装置。
【請求項８】
前記第１基板は、その端部が前記第２基板の端面よりも外側に突き出す形で配されており、
前記遮光部は、前記第１基板の前記端部における前記導光板側とは反対側の板面にも接する形で配されている請求項７記載の表示装置。
【請求項９】
前記第１基板は、その端部が前記第２基板の端面よりも外側に突き出す形で配されており、
前記遮光部は、前記第２基板の端面との間に隙間を有する形で配されている請求項６記載の表示装置。
【請求項１０】
前記遮光部及び前記パネル押さえ部は、一体形成されるとともに前記隙間に臨む面が断面円弧状に形成されている請求項９記載の表示装置。
【請求項１１】
前記遮光部は、前記表示パネルにおける前記導光板側の板面よりも前記導光板側に突き出す形で配されている請求項１から請求項１０のいずれか１項に記載の表示装置。
【請求項１２】
前記表示パネルと前記導光板との間に挟まれる形で介在する光学部材が備えられており、
前記遮光部のうち前記表示パネルにおける前記導光板側の板面よりも前記導光板側に突き出す部分は、前記光学部材の端面に対して隙間を空けつつ対向して配されている請求項１１記載の表示装置。
【請求項１３】
前記導光板は、その端部が前記表示パネルの端面よりも外側に突き出す形で配されるのに対し、一対の前記保持部のうち前記表示面側に配される前記保持部から前記導光板側に突出するとともに前記導光板の前記端部を前記表示面側から支持する導光板支持部が設けられており、
前記導光板支持部は、少なくとも前記導光板支持部よりも外側に存する光が前記表示パネルの端部側に入光するのを遮光するとともに、前記遮光部に対して外側に隣り合う形で配されている請求項１から請求項１２のいずれか１項に記載の表示装置。
【請求項１４】
前記表示パネルは、一対の基板間に液晶を封入してなる液晶パネルとされる請求項１から請求項１３のいずれか１項に記載の表示装置。
【請求項１５】
請求項１から請求項１４のいずれか１項に記載された表示装置を備えるテレビ受信装置。
【発明の詳細な説明】
【技術分野】
【０００１】
本発明は、表示装置及びテレビ受信装置に関する。
【背景技術】
【０００２】
例えば、液晶テレビなどの液晶表示装置は、その表示パネルである液晶パネルが自発光しないため、別途に照明装置としてバックライト装置を必要としており、その一例が下記特許文献１に記載されている。この種の液晶表示装置におけるバックライト装置は、その機構によって直下型とエッジライト型とに大別されているが、液晶表示装置の一層の薄型化を実現するには、エッジライト型のバックライト装置を用いるのが好ましいものとされる。なお、上記のような液晶表示装置の一例として下記特許文献１に記載されたものが知られている。
【先行技術文献】
【特許文献】
【０００３】
【特許文献１】特開２００９−９２７１６号公報
【発明の概要】
【発明が解決しようとする課題】
【０００４】
上記した特許文献１に記載された液晶表示装置では、液晶パネルを表側のパネル押さえ部材と、裏側のパネル受け部材とによって挟み込む構造を採っている。ここで、製造コストの削減やさらなる薄型化などの要請があった場合には、例えば裏側のパネル受け部材を廃止することが考えられる。ところが、このパネル受け部材は、液晶パネルの端部を裏側から支持していて裏側からの光が液晶パネルの端部に入射するのを遮る機能を有していることから、単純にパネル受け部材を廃止すると、裏側からの光が液晶パネルの端部に直接入射する、光漏れが生じることが懸念される。特に、液晶パネルの端部における端面に光が直接入射すると、端面から入射した光によって液晶パネルに表示される画像に係る表示品位が著しく劣化するという問題があった。
【０００５】
本発明は上記のような事情に基づいて完成されたものであって、光漏れを抑制することを目的とする。
【課題を解決するための手段】
【０００６】
本発明の表示装置は、光源と、前記光源の光を利用して表示を行う表示パネルと、前記表示パネルに対してその表示面側とは反対側に重なるように配されるとともに端面が前記光源と対向状に配される導光板と、前記表示パネル及び前記導光板を前記表示面側とその反対側とから挟み込む形で保持する一対の保持部を有し、これら一対の前記保持部の間に前記光源を収容してなる保持部材と、一対の前記保持部のうち前記表示面側に配される前記保持部に設けられるとともに前記表示パネルを前記表示面側から押さえるパネル押さえ部と、前記パネル押さえ部に設けられるとともに前記表示パネルの端面に接する形で配される遮光部であって、少なくとも前記遮光部よりも外側に存する光が前記表示パネルの端面に直接入光するのを遮光する遮光部と、を備える。
【０００７】
このようにすれば、光源から発せられた光は、導光板の端面に入射し導光板の内部を伝播してから表示パネルへ導かれるので、その光を利用して表示パネルに画像が表示される。ところで、表示パネル及び導光板は、互いに重なるようにして配された状態で保持部材が有する一対の保持部によって表示面側とその反対側とから挟み込まれる形で保持されており、従来のように導光板と表示パネルとの間にパネル受け部材が介在する構成となっていないため、表示パネルの端面への光漏れが生じるのが懸念される。ところが、表示パネルの端面には、遮光部が接する形で配されているので、少なくとも遮光部よりも外側に存する光が、表示パネルの端面に直接入光するのを遮光することができ、表示パネルへの光漏れを良好に抑制することができる。これにより、表示パネルに表示される画像の表示品位を高く保つことができる。しかも、この遮光部は、パネル押さえ部に設けられているから、パネル押さえ部と共に表示パネルを安定的に位置決め状態に支持することができる。
【０００８】
本発明の実施態様として、次の構成が好ましい。
（１）前記遮光部及び前記パネル押さえ部は、共に弾性材料からなる。このようにすれば、共に弾性材料からなる遮光部及びパネル押さえ部によって表示パネルを弾性的に支持することができるから、表示パネルの緩衝を図ることができる。しかも、遮光部を表示パネルの端面に対して密着させることができるから、より高い遮光性能を得ることができ、表示パネルへの光漏れをより確実に防ぐことができる。
【０００９】
（２）前記遮光部は、前記パネル押さえ部に一体形成されている。このようにすれば、仮に遮光部をパネル押さえ部とは別部品として設置した場合に比べると、遮光部の設置に係るコストを低く抑えることができる。
【００１０】
（３）前記遮光部及び前記パネル押さえ部は、共に遮光性材料からなる。このようにすれば、遮光部と共にパネル押さえ部によっても遮光を図ることができるから、より高い遮光性能を得ることができる。
【００１１】
（４）一対の前記保持部のうち前記表示面側に配される前記保持部には、前記表示パネル側に突出するとともに前記パネル押さえ部の内端部に当接することで、前記遮光部及び前記パネル押さえ部を位置決めする位置決め部が設けられている。このようにすれば、位置決め部によって遮光部及びパネル押さえ部を位置決めすることで、表示パネルの端面に対して遮光部を高い精度でもって配置することができる。これにより、遮光部の遮光性能をより確実に発揮させることができる。
【００１２】
（５）前記表示パネルは、前記導光板側に配される第１基板と、前記導光板側とは反対側に配されて前記パネル押さえ部によって押さえられる第２基板とを有しており、前記遮光部は、少なくとも前記第１基板の端面に接する形で配されている。このようにすれば、表示パネルを構成する一対の基板のうち、導光板側に配される第１基板の端面には、第２基板の端面に比べると、少なくとも遮光部の外側に存する光が直接入光し易くなっているので、少なくともこの第１基板の端面への入光を遮光部によって遮光することで、表示パネルへの光漏れを効果的に抑制することができる。
【００１３】
（６）前記遮光部は、前記第１基板及び前記第２基板の各端面にそれぞれ接する形で配されている。このようにすれば、表示パネルを構成する一対の基板の各端面への入光を遮光部によってそれぞれ遮光することで、表示パネルへの光漏れをより確実に防ぐことができる。
【００１４】
（７）前記第１基板は、その端部が前記第２基板の端面よりも外側に突き出す形で配されており、前記遮光部は、前記第１基板の前記端部における前記導光板側とは反対側の板面にも接する形で配されている。このようにすれば、第２基板の端面よりも外側に突き出す第１基板の端部における導光板側とは反対側の板面への入光をも遮光部によって遮光することで、表示パネルへの光漏れをさらに確実に防ぐことができる。
【００１５】
（８）前記第１基板は、その端部が前記第２基板の端面よりも外側に突き出す形で配されており、前記遮光部は、前記第２基板の端面との間に隙間を有する形で配されている。このようにすれば、遮光部と第２基板の端面との間に隙間を確保することで、例えば表示パネルを組み付けるときに生じる接触抵抗を低減することができ、組み付け性に優れる。
【００１６】
（９）前記遮光部及び前記パネル押さえ部は、一体形成されるとともに前記隙間に臨む面が断面円弧状に形成されている。このようにすれば、遮光部の補強が図られているので、表示パネルを組み付ける際に遮光部に第１基板の端面が接するのに伴って、遮光部に応力が作用した場合でも、遮光部とパネル押さえ部との間に切れなどが生じ難くなる。これにより、遮光部を第１基板の端面に接した状態に保つことができる。
【００１７】
（１０）前記遮光部は、前記表示パネルにおける前記導光板側の板面よりも前記導光板側に突き出す形で配されている。このようにすれば、遮光部を表示パネルの端面に対して接した状態により確実に保つことができるから、表示パネルへの光漏れをより確実に防ぐことができる。
【００１８】
（１１）前記表示パネルと前記導光板との間に挟まれる形で介在する光学部材が備えられており、前記遮光部のうち前記表示パネルにおける前記導光板側の板面よりも前記導光板側に突き出す部分は、前記光学部材の端面に対して隙間を空けつつ対向して配されている。このようにすれば、遮光部のうち表示パネルにおける導光板側の板面よりも導光板側に突き出す部分によって、光学部材の端面に対して少なくとも遮光部よりも外側に存する光が直接入光し難くすることが可能とされる。また、遮光部と光学部材の端面との間に隙間が空けられることで、光学部材が熱膨張に伴って伸長するのが許容され、光学部材に撓みやしわなどが生じ難くなっている。
【００１９】
（１２）前記導光板は、その端部が前記表示パネルの端面よりも外側に突き出す形で配されるのに対し、一対の前記保持部のうち前記表示面側に配される前記保持部から前記導光板側に突出するとともに前記導光板の前記端部を前記表示面側から支持する導光板支持部が設けられており、前記導光板支持部は、少なくとも前記導光板支持部よりも外側に存する光が前記表示パネルの端部側に入光するのを遮光するとともに、前記遮光部に対して外側に隣り合う形で配されている。このようにすれば、遮光部に対して外側に隣り合う形で配される導光板支持部によって少なくともそれよりも外側に存する光が表示パネルの端部側に入光するのが遮光されるから、遮光部と相まって表示パネルの端面への直接の入光をより確実に遮光することができ、高い遮光性能が得られる。
【００２０】
（１３）前記表示パネルは、一対の基板間に液晶を封入してなる液晶パネルとされる。このような表示装置は液晶表示装置として、種々の用途、例えばテレビやパソコンのディスプレイ等に適用でき、特に大型画面用として好適である。
【発明の効果】
【００２１】
本発明によれば、光漏れを抑制することができる。
【図面の簡単な説明】
【００２２】
【図１】本発明の実施形態１に係るテレビ受信装置及び液晶表示装置の概略構成を示す分解斜視図
【図２】テレビ受信装置及び液晶表示装置の背面図
【図３】液晶表示装置をなす液晶表示ユニットの概略構成を示す分解斜視図
【図４】液晶表示装置の短辺方向に沿った断面構成を示す断面図
【図５】液晶表示装置の長辺方向に沿った断面構成を示す断面図
【図６】フレームの背面図
【図７】図６のフレームの角部付近の拡大背面図
【図８】液晶表示装置の短辺方向に沿った断面構成を示すものであって、図７のviii-viii線断面図
【図９】液晶表示装置の短辺方向に沿った断面構成を示すものであって、図７のix-ix線断面図
【図１０】液晶表示装置の長辺方向に沿った断面構成を示すものであって、図７のx-x線断面図
【図１１】液晶表示装置の長辺方向に沿った断面構成を示すものであって、図７のxi-xi線断面図
【図１２】液晶表示装置の短辺方向に沿った断面構成を示すものであって、液晶表示装置をなす液晶表示ユニットの各構成部品を組み付ける作業手順を示す図７のviii-viii線断面図
【図１３】液晶表示装置の長辺方向に沿った断面構成を示すものであって、液晶表示装置をなす液晶表示ユニットの各構成部品を組み付ける作業手順を示す図７のx-x線断面図
【図１４】本発明の実施形態２に係る遮光部及びパネル押さえ部の拡大断面図
【図１５】本発明の実施形態３に係る遮光部及びパネル押さえ部の拡大断面図
【図１６】本発明の実施形態４に係る遮光部及びパネル押さえ部の拡大断面図
【図１７】本発明の実施形態５に係る遮光部及びパネル押さえ部の拡大断面図
【図１８】本発明の実施形態６に係る遮光部及びパネル押さえ部の断面構成を示すものであって、フレキシブル基板から外れた位置で切断した拡大断面図
【図１９】遮光部及びパネル押さえ部の断面構成を示すものであって、フレキシブル基板を切断した拡大断面図
【発明を実施するための形態】
【００２３】
＜実施形態１＞
本発明の実施形態１を図１から図１３によって説明する。本実施形態では、液晶表示装置１０について例示する。なお、各図面の一部にはＸ軸、Ｙ軸及びＺ軸を示しており、各軸方向が各図面で示した方向となるように描かれている。また、図４及び図５に示す上側を表側とし、同図下側を裏側とする。
【００２４】
本実施形態に係るテレビ受信装置ＴＶは、図１に示すように、液晶表示ユニット（表示ユニット）ＬＤＵと、液晶表示ユニットＬＤＵの裏面側（背面側）に取り付けられる各種基板ＰＷＢ，ＭＢ，ＣＴＢと、液晶表示ユニットＬＤＵの裏面側に各種基板ＰＷＢ，ＭＢ，ＣＴＢを覆う形で取り付けられるカバー部材ＣＶと、スタンドＳＴとを備えてなり、スタンドＳＴによって液晶表示ユニットＬＤＵの表示面を鉛直方向（Ｙ軸方向）に沿わせた状態で支持されている。本実施形態に係る液晶表示装置１０は、上記した構成のテレビ受信装置ＴＶから、少なくともテレビ信号を受信するための構成（メイン基板ＭＢのチューナー部など）を除いたものである。液晶表示ユニットＬＤＵは、図３に示すように、全体として横長の方形状（矩形状、長手状）をなしており、表示パネルである液晶パネル１１と、外部光源であるバックライト装置（照明装置）１２とを備え、これらが液晶表示装置１０の外観を構成する外観部材であるフレーム（表示面１１ｃ側に配される保持部、一方の保持部）１３及びシャーシ（表示面１１ｃ側とは反対側に配される保持部、他方の保持部）１４によって一体的に保持された構成となっている。これらフレーム１３及びシャーシ１４が保持部材ＨＭを構成していると言える。なお、本実施形態に係るシャーシ１４は、外観部材及び保持部材ＨＭの一部を構成するとともにバックライト装置１２の一部を構成している。
【００２５】
先に、液晶表示装置１０における裏面側の構成について説明する。液晶表示装置１０における裏側の外観を構成するシャーシ１４の裏面には、図２に示すように、Ｙ軸方向に沿って延在する形態のスタンド取付部材ＳＴＡがＸ軸方向に離間した２位置に一対取り付けられている。これらスタンド取付部材ＳＴＡは、断面形状がシャーシ１４側の面が開口した略チャンネル型をなしており、シャーシ１４との間に保有される空間内にスタンドＳＴにおける一対の支柱部ＳＴｂが差し込まれるようになっている。なお、スタンド取付部材ＳＴＡ内の空間には、バックライト装置１２が有するＬＥＤ基板１８に接続された配線部材（電線など）を通すことが可能とされる。スタンドＳＴは、Ｘ軸方向及びＺ軸方向に並行する台座部ＳＴａと、台座部ＳＴａからＹ軸方向に沿って立ち上がる一対の支柱部ＳＴｂとからなる。カバー部材ＣＶは、合成樹脂製とされており、一対のスタンド取付部材ＳＴＡをＸ軸方向について横切りつつもシャーシ１４の裏面における一部、具体的には図２に示す下側約半分程度を覆う形で取り付けられている。このカバー部材ＣＶとシャーシ１４との間には、次述する各種基板ＰＷＢ，ＭＢ，ＣＴＢなどの部品を収容可能な部品収容空間が保有されている。
【００２６】
各種基板ＰＷＢ，ＭＢ，ＣＴＢには、図２に示すように、電源基板ＰＷＢ、メイン基板ＭＢ及びコントロール基板ＣＴＢが含まれている。電源基板ＰＷＢは、当該液晶表示装置１０の電力供給源とも言えるものであり、他の各基板ＭＢ，ＣＴＢ及びバックライト装置１２が有するＬＥＤ１７などに駆動電力を供給することが可能とされる。従って、電源基板ＰＷＢが「ＬＥＤ１７を駆動するＬＥＤ駆動基板（光源駆動基板）」を兼用していると言える。メイン基板ＭＢは、テレビ信号を受信可能なチューナー部と、受信したテレビ信号を画像処理する画像処理部（チューナー部共々図示せず）とを少なくとも有しており、処理した画像信号を次述するコントロール基板ＣＴＢへと出力可能とされる。なお、このメイン基板ＭＢは、当該液晶表示装置１０が図示しない外部の画像再生機器に接続されたときには、その画像再生機器からの画像信号が入力されるので、その画像信号を画像処理部にて処理してコントロール基板ＣＴＢへと出力可能とされる。コントロール基板ＣＴＢは、メイン基板ＭＢから入力される画像信号を液晶駆動用の信号に変換し、その変換した液晶駆動用の信号を液晶パネル１１に供給する機能を有する。
【００２７】
液晶表示装置１０を構成する液晶表示ユニットＬＤＵは、図３に示すように、その主要な構成部品が、表側の外観を構成するフレーム（フロントフレーム）１３と、裏側の外観を構成するシャーシ（リアシャーシ）１４との間に保有される空間内に収容されてなるものとされる。フレーム１３及びシャーシ１４内に収容される主要な構成部品には、少なくとも、液晶パネル１１、光学部材１５、導光板１６及びＬＥＤユニット（光源ユニット）ＬＵが含まれている。このうち、液晶パネル１１、光学部材１５及び導光板１６は、相互に積層された状態で、その表側のフレーム１３と裏側のシャーシ１４とによって挟み込まれる形で保持されるようになっている。バックライト装置１２は、光学部材１５、導光板１６、ＬＥＤユニットＬＵ及びシャーシ１４からなるものとされ、上記した液晶表示ユニットＬＤＵから液晶パネル１１及びフレーム１３を除いた構成とされる。バックライト装置１２をなすＬＥＤユニットＬＵは、フレーム１３及びシャーシ１４内において、導光板１６をその短辺方向（Ｙ軸方向）の両側方から挟み込む形で対をなすものが、導光板１６の長辺方向（Ｘ軸方向）について２組並んで配され、合計４つ設置されている。ＬＥＤユニットＬＵは、光源であるＬＥＤ１７と、ＬＥＤ１７が実装されるＬＥＤ基板（光源基板）１８と、ＬＥＤ基板１８が取り付けられる放熱部材（ヒートスプレッダ、光源取付部材）１９とからなる。以下、各構成部品について説明する。
【００２８】
液晶パネル１１は、図３に示すように、平面に視て横長の方形（矩形状、長手状）をなしており、透光性に優れた一対のガラス製の基板１１ａ，１１ｂが所定のギャップを隔てた状態で貼り合わせられるとともに、両基板１１ａ，１１ｂ間に液晶が封入された構成とされる。一対の基板１１ａ，１１ｂのうち表側（正面側）がＣＦ基板１１ａとされ、裏側（背面側）がアレイ基板１１ｂとされる。このうち、アレイ基板１１ｂには、互いに直交するソース配線とゲート配線とに接続されたスイッチング素子（例えばＴＦＴ）と、そのスイッチング素子に接続された画素電極、さらには配向膜等が設けられている。詳しくは、アレイ基板１１ｂには、ＴＦＴ及び画素電極が多数個並んで設けられるとともに、これらＴＦＴ及び画素電極の周りには、格子状をなすゲート配線及びソース配線が取り囲むようにして多数本ずつ配設されている。ゲート配線とソース配線とがそれぞれＴＦＴのゲート電極とソース電極とに接続され、画素電極がＴＦＴのドレイン電極に接続されている。また、アレイ基板１１ｂには、ゲート配線に並行するとともに画素電極に対して平面に視て重畳する容量配線（補助容量配線、蓄積容量配線、Ｃｓ配線）が設けられており、容量配線とゲート配線とがＹ軸方向について交互に並ぶ形で配されている。一方、ＣＦ基板１１ａには、Ｒ（赤色），Ｇ（緑色），Ｂ（青色）等の各着色部が所定配列で配置されたカラーフィルタや対向電極、さらには配向膜等が設けられている。なお、両基板１１ａ，１１ｂの外側にはそれぞれ偏光板（図示は省略する）が配されている。
【００２９】
液晶パネル１１を構成する一対の基板１１ａ，１１ｂのうち、アレイ基板１１ｂは、図４及び図５に示すように、平面に視た大きさがＣＦ基板１１ａよりも大きく形成されており、その端部１１ｂＥＰがＣＦ基板１１ａの端部１１ａＥＰ（端面１１ａＥＦ）よりも外側に突き出す形で配されている。詳しくは、アレイ基板１１ｂは、その外周端部（４辺の各端部１１ｂＥＰ）が全周にわたってＣＦ基板１１ａの外周端部（４辺の各端部１１ａＥＰ）よりも外側に突き出すよう、ＣＦ基板１１ａよりも一回り大きく形成されている。アレイ基板１１ｂの外周端部を構成する一対の長辺側の端部１１ｂＥＰのうち、Ｙ軸方向についてコントロール基板ＣＴＢ側（図３に示す手前側、図４に示す左側）の長辺側の端部１１ｂＥＰには、上記したソース配線から引き回されたソース側端子部が複数設けられており、各ソース側端子部には、図３に示すように、ソース側フレキシブル基板（パネル接続部材、ソースドライバ）２６が接続されている。ソース側フレキシブル基板２６は、Ｘ軸方向、つまりアレイ基板１１ｂの長辺側の端部１１ｂＥＰに沿う方向について複数が間欠的に並んで配されており、アレイ基板１１ｂの長辺側の端部１１ｂＥＰからＹ軸方向に沿って外側に突き出している。一方、アレイ基板１１ｂの外周端部を構成する一対の短辺側の端部１１ｂＥＰのうちの一方（図３に示す奥側、図５に示す左側）の短辺側の端部１１ｂＥＰには、上記したゲート配線及び容量配線から引き回されたゲート側端子部が複数設けられており、各ゲート側端子部には、ゲート側フレキシブル基板（パネル接続部材、ゲートドライバ）２８が接続されている。ゲート側フレキシブル基板２８は、Ｙ軸方向、つまりアレイ基板１１ｂの短辺側の端部１１ｂＥＰに沿う方向について複数が間欠的に並んで配されており、アレイ基板１１ｂの短辺側の端部１１ｂＥＰからＸ軸方向に沿って外側に突き出している。
【００３０】
各フレキシブル基板２６，２８は、図３に示すように、絶縁性及び可撓性を有する合成樹脂材料（例えばポリイミド系樹脂等）からなるフィルム状の基材と、その基材上に実装される液晶駆動用のドライバ（パネル駆動部品）ＤＲとを備えており、基材上に多数本の配線パターン（図示せず）を有するとともに、その配線パターンが基材における中央付近に実装されたドライバＤＲに接続されている。ソース側フレキシブル基板２６は、その一方の端部がアレイ基板１１ｂのソース側端子部に対して、他方の端部が後述するプリント基板２７が有する端子部に対してそれぞれ異方性導電膜（ＡＣＦ）を介して圧着接続されている。このプリント基板２７は、図示しない配線部材を介して上記したコントロール基板ＣＴＢに接続されており、コントロール基板ＣＴＢから入力される信号（ゲート配線への走査信号、ソース配線へのデータ信号、容量配線への容量信号など）を、ソース側フレキシブル基板２６に伝送することが可能とされている。一方、ゲート側フレキシブル基板２８は、一方の端部がアレイ基板１１ｂのゲート側端子部に対して異方性導電膜を介して圧着接続されている。アレイ基板１１ｂには、ソース側端子部とゲート側端子部との間を結ぶ中継配線（図示せず）が形成されており、この中継配線を介してゲート側端子部及びゲート側フレキシブル基板２８には、ソース側フレキシブル基板２６及びソース側端子部から信号（ゲート配線への走査信号、容量配線への容量信号など）が伝送されるようになっている。これにより、液晶パネル１１は、コントロール基板ＣＴＢから入力される信号に基づいてその表示面１１ｃに画像が表示されるようになっている。
【００３１】
この液晶パネル１１は、図４及び図５に示すように、次述する光学部材１５の表側（光出射側）に積層する形で載せられており、その裏側の面（裏側の偏光板の外面）が光学部材１５に対して殆ど隙間無く密着している。これにより、液晶パネル１１と光学部材１５との間に塵埃などが侵入するのが防がれている。液晶パネル１１における表示面１１ｃは、画面中央側にあって画像が表示可能な表示領域と、画面外周端側にあって表示領域の周りを取り囲む枠状（額縁状）をなす非表示領域とからなる。なお、上記した各端子部及び各フレキシブル基板２６，２８は、非表示領域に配されている。
【００３２】
光学部材１５は、図３に示すように、液晶パネル１１と同様に平面に視て横長の方形状をなしており、その大きさ（短辺寸法及び長辺寸法）が液晶パネル１１（ＴＦＴ基板１１ｂ）よりもやや小さい程度とされる。光学部材１５は、次述する導光板１６の表側（光出射側、液晶パネル１１側）に積層する形で載せられていて上記した液晶パネル１１と導光板１６との間に挟み込まれた状態で配されている。光学部材１５は、いずれもシート状をなすとともに３枚が積層して配されている。具体的には、光学部材１５は、裏側（導光板１６側）から順に、拡散シート１５ａ、レンズシート（プリズムシート）１５ｂ、及び反射型偏光シート１５ｃからなるものとされる。なお、３枚の各シート１５ａ，１５ｂ，１５ｃは、平面に視た大きさがほぼ同じ程度とされている。
【００３３】
このうち、最も裏側（光出射側とは反対側、導光板１６側）に配される拡散シート１５ａは、ほぼ透明な（透光性に優れた）合成樹脂製でシート状の基材内に拡散粒子を多数分散して設けた構成とされ、透過する光を拡散させる機能を有する。積層方向（Ｚ軸方向）について中央に配されるレンズシート１５ｂは、ほぼ透明な合成樹脂製でシート状の基材と、基材における板面に積層して形成されるプリズム層とから構成されており、透過光に対して集光作用を付与することが可能とされる。最も表側（光出射側、液晶パネル１１側）に配される反射型偏光シート１５ｃは、例えば屈折率の互いに異なる層を交互に積層した多層構造を有しており、導光板１６からの光のうちｐ波を透過させ、ｓ波を導光板１６側へ反射させる構成とされる。導光板１６側に戻されたｓ波は、後述する導光反射シート２０などによって表側に反射されることでｓ波とｐ波に分離されてから再び反射型偏光シート１５ｃへと向かって出射光として利用されるので、光の利用効率（輝度）に優れる。
【００３４】
導光板１６は、屈折率が空気よりも十分に高く且つほぼ透明な（透光性に優れた）合成樹脂材料（例えばＰＭＭＡなどのアクリル樹脂やポリカーボネートなど）からなる。導光板１６は、図３に示すように、液晶パネル１１及び光学部材１５と同様に平面に視て横長の方形状をなすとともに光学部材１５よりも厚みが大きな板状をなしており、その板面における長辺方向がＸ軸方向と、短辺方向がＹ軸方向とそれぞれ一致し、且つ板面と直交する板厚方向がＺ軸方向と一致している。導光板１６は、図４及び図５に示すように、その平面に視た大きさ（短辺寸法及び長辺寸法）が液晶パネル１１及び光学部材１５に比べて大きいものとされるとともに、その端部１６ＥＰが液晶パネル１１（アレイ基板１１ｂ）の端部１１ｂＥＰよりも外側に突き出す形で配されている。詳しくは、導光板１６は、その端部１６ＥＰが全周にわたって液晶パネル１１のアレイ基板１１ｂの外周端部（４辺の各端部１１ｂＥＰ）よりも外側に突き出すよう、液晶パネル１１よりも一回り大きく形成されている。導光板１６は、光学部材１５の裏側に積層していて光学部材１５とシャーシ１４との間に挟み込まれるよう配されている。この導光板１６は、その短辺方向の両側方に分けて配された対をなすＬＥＤユニットＬＵによってＹ軸方向について挟み込まれる形で配されており、短辺方向についての両端部にＬＥＤ１７からの光がそれぞれ導入されるようになっている。そして、この導光板１６は、その短辺方向についての両端部から導入したＬＥＤ１７からの光を内部で伝播させつつ光学部材１５側（表側）へ向くよう立ち上げて出射させる機能を有する。ところで、導光板１６を、上記したように液晶パネル１１及び光学部材１５よりも大型としている理由（端部１６ＥＰを確保する理由）は、ＬＥＤ１７から入射した光を内部にて伝播する距離を十分に確保し、それにより出射光にムラを生じ難くするためであり、また導光板１６の端部１６ＥＰがそれよりも中央側部分に比べると出射光にムラが生じ易く、この端部１６ＥＰからの出射光を画像の表示に利用すると表示品位が芳しくないためでもある。
【００３５】
この導光板１６の板面のうち、表側を向いた板面（光学部材１５との対向面）が、図４に示すように、内部の光を光学部材１５及び液晶パネル１１に向けて出射させる光出射面１６ａとなっている。導光板１６における板面に対して隣り合う外周端面のうち、Ｘ軸方向に沿って長手状をなす長辺側の両端面（短辺方向についての両端部が有する両端面）は、それぞれＬＥＤ１７（ＬＥＤ基板１８）と所定の空間を空けて正対する形で対向状をなしており、これらがＬＥＤ１７から発せられた光が入射される一対の光入射面１６ｂとなっている。この光入射面１６ｂは、Ｘ軸方向及びＺ軸方向（ＬＥＤ基板１８の板面）に沿って並行する面とされ、光出射面１６ａに対して略直交する面とされる。また、ＬＥＤ１７と光入射面１６ｂとの並び方向は、Ｙ軸方向と一致しており、光出射面１６ａに並行している。この光入射面１６ｂは、ＬＥＤ１７と対向状をなしていることから、「ＬＥＤ対向端面（光源対向端面）」を構成している、とも言える。これに対して、導光板１６における板面に対して隣り合う外周端面のうち、Ｙ軸方向に沿って長手状をなす短辺側の両端面（長辺方向についての両端部が有する両端面）は、それぞれＬＥＤ１７とは対向しないＬＥＤ非対向端面（光源非対向端面）１６ｄとされている。導光板１６の端部１６ＥＰのうちＬＥＤ非対向端面１６ｄを有する部分、つまり短辺側の端部１６ＥＰには、表側から視てゲート側フレキシブル基板２８と重畳する位置関係となるものが含まれている。
【００３６】
導光板１６における裏側、つまり光出射面１６ａとは反対側の板面（シャーシ１４との対向面）１６ｃには、図４及び図５に示すように、その板面１６ｃから裏側外部に出射した光を反射して表側へ立ち上げることが可能な導光反射シート（反射部材）２０がそのほぼ全域を覆う形で設けられている。言い換えると、導光反射シート２０は、シャーシ１４と導光板１６との間に挟み込まれた形で配されている。この導光反射シート２０は、合成樹脂製とされ、表面が光の反射性に優れた白色を呈するものとされる。導光反射シート２０は、図４に示すように、少なくともその短辺寸法が導光板１６の短辺寸法よりも大きくなっており、その両端部が導光板１６の光入射面１６ｂよりもＬＥＤ１７寄りに突き出して配されている。この導光反射シート２０における突出部位（長辺側の両端部）によってＬＥＤ１７からシャーシ１４側に向けて斜めに進行する光を効率的に反射して、導光板１６の光入射面１６ｂへと向かわせることが可能とされている。なお、導光板１６における光出射面１６ａまたはその反対側の板面１６ｃの少なくともいずれか一方には、内部の光を反射させる反射部（図示せず）または内部の光を散乱させる散乱部（図示せず）が所定の面内分布を持つようパターニングされており、それにより光出射面１６ａからの出射光が面内において均一な分布となるよう制御されている。
【００３７】
次に、ＬＥＤユニットＬＵを構成するＬＥＤ１７、ＬＥＤ基板１８及び放熱部材１９の構成について順次に説明する。ＬＥＤユニットＬＵを構成するＬＥＤ１７は、図３及び図４に示すように、ＬＥＤ基板１８に固着される基板部上にＬＥＤチップを樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いることができる。このＬＥＤ１７は、ＬＥＤ基板１８に対する実装面とは反対側の面（導光板１６の光入射面１６ｂと正対する対向面）が主発光面１７ａとなる、いわゆる頂面発光型とされている。
【００３８】
ＬＥＤユニットＬＵを構成するＬＥＤ基板１８は、図３及び図４に示すように、導光板１６の長辺方向（Ｘ軸方向、光入射面１６ｂの長手方向）に沿って延在する細長い板状をなしており、その板面をＸ軸方向及びＺ軸方向に並行した姿勢、つまり導光板１６の光入射面１６ｂに並行した姿勢でフレーム１３及びシャーシ１４内に収容されている。ＬＥＤ基板１８は、その長さ寸法が導光板１６の長辺寸法の概ね半分程度の大きさとされている。ＬＥＤ基板１８の板面であって内側、つまり導光板１６側を向いた板面（導光板１６との対向面）には、上記した構成のＬＥＤ１７が表面実装されており、ここが実装面１８ａとされる。ＬＥＤ１７は、ＬＥＤ基板１８の実装面１８ａにおいて、その長さ方向（Ｘ軸方向）に沿って複数が所定の間隔を空けつつ一列に（直線的に）並列配置されている。つまり、ＬＥＤ１７は、バックライト装置１２における長辺側の両端部においてそれぞれ長辺方向に沿って複数ずつ間欠的に並列配置されていると言える。Ｘ軸方向について隣り合うＬＥＤ１７間の間隔、つまりＬＥＤ１７の配列ピッチは、ほぼ等しいものとされる。なお、ＬＥＤ１７の並び方向は、ＬＥＤ基板１８の長さ方向（Ｘ軸方向）と一致していることになる。ＬＥＤ基板１８の実装面１８ａには、Ｘ軸方向に沿って延在するとともにＬＥＤ１７群を横切って隣り合うＬＥＤ１７同士を直列接続する、金属膜（銅箔など）からなる配線パターン（図示せず）が形成されており、この配線パターンの両端部に形成された端子部が、コネクタや電線などの配線部材を介して電源基板ＰＷＢに接続されることで、各ＬＥＤ１７に駆動電力が供給されるようになっている。導光板１６を挟んで対をなすＬＥＤ基板１８は、ＬＥＤ１７の実装面１８ａが互いに対向状をなす姿勢でフレーム１３及びシャーシ１４内に収容されるので、対をなすＬＥＤ基板１８にそれぞれ実装された各ＬＥＤ１７の主発光面１７ａが対向状をなすとともに、各ＬＥＤ１７における光軸がＹ軸方向とほぼ一致する。また、ＬＥＤ基板１８の基材は、例えばアルミニウムなどの金属製とされ、その表面に絶縁層を介して既述した配線パターン（図示せず）が形成されている。なお、ＬＥＤ基板１８の基材に用いる材料としては、セラミックなどの絶縁材料を用いることも可能である。
【００３９】
ＬＥＤユニットＬＵを構成する放熱部材１９は、図３及び図４に示すように、例えばアルミニウムなどの熱伝導性に優れた金属製とされている。放熱部材１９は、ＬＥＤ基板１８が取り付けられるＬＥＤ取付部（光源取付部）１９ａと、シャーシ１４の板面に面接触される放熱部１９ｂとを備え、これらが断面略Ｌ字型の屈曲形状をなしている。放熱部材１９は、その長さ寸法が上記したＬＥＤ基板１８の長さ寸法とほぼ同じ程度の大きさとされている。放熱部材１９を構成するＬＥＤ取付部１９ａは、ＬＥＤ基板１８の板面及び導光板１６の光入射面１６ｂに並行する板状をなしており、その長辺方向がＸ軸方向と、短辺方向がＺ軸方向と、厚さ方向がＹ軸方向とそれぞれ一致している。ＬＥＤ取付部１９ａのうち内側の板面、つまり導光板１６側を向いた板面には、ＬＥＤ基板１８が取り付けられている。ＬＥＤ取付部１９ａは、その長辺寸法がＬＥＤ基板１８の長辺寸法と概ね同等とされるものの、短辺寸法がＬＥＤ基板１８の短辺寸法よりも大きくなっている。その上で、ＬＥＤ取付部１９ａにおける短辺方向の両端部は、ＬＥＤ基板１８の両端部からＺ軸方向に沿って外向きに突出している。ＬＥＤ取付部１９ａのうち外側の板面、つまりＬＥＤ基板１８が取り付けられる板面とは反対側の板面は、後述するフレーム１３が有するネジ取付部（固定部材取付部）２１と対向状をなしている。つまり、ＬＥＤ取付部１９ａは、フレーム１３のネジ取付部２１と導光板１６との間に介在する形で配されている。ＬＥＤ取付部１９ａは、次述する放熱部１９ｂにおける内側の端部、つまりＬＥＤ１７（導光板１６）側の端部からＺ軸方向（液晶パネル１１、光学部材１５及び導光板１６の重なり方向）に沿って表側、つまりフレーム１３側に向けて立ち上がる形態とされている。
【００４０】
放熱部１９ｂは、図３及び図４に示すように、シャーシ１４の板面に並行する板状をなしており、その長辺方向がＸ軸方向と、短辺方向がＹ軸方向と、厚さ方向がＺ軸方向とそれぞれ一致している。放熱部１９ｂは、ＬＥＤ取付部１９ａにおける裏側の端部、つまりシャーシ１４側の端部からＹ軸方向に沿って外側、つまり導光板１６側とは反対側に向けて突出する形態とされている。放熱部１９ｂは、その長辺寸法がＬＥＤ取付部１９ａとほぼ同じとされる。放熱部１９ｂのうち裏側の板面、つまりシャーシ１４側を向いた板面は、その全域がシャーシ１４の板面に対して面接触されている。その上で、放熱部１９ｂのうち表側の板面、つまりシャーシ１４に対する接触面とは反対側の板面は、後述するフレーム１３が有するネジ取付部２１と対向状をなすとともにネジ取付部２１の突出端面に対して接触されている。つまり、放熱部１９ｂは、フレーム１３のネジ取付部２１とシャーシ１４との間に挟み込まれる（介在する）形で配されている。これにより、ＬＥＤ１７から点灯に伴って生じた熱は、ＬＥＤ基板１８、ＬＥＤ取付部１９ａ及び放熱部１９ｂを介して、シャーシ１４及びネジ取付部２１を有するフレーム１３へと伝達されることで、液晶表示装置１０の外部へと効率的に放散されるようになっていて内部にこもり難くなっている。そして、この放熱部１９ｂは、ネジ取付部２１に対してネジ部材（固定部材）ＳＭによって取り付け状態に保持されるようになっており、そのネジ部材ＳＭを通すための挿通孔１９ｂ１を有している。
【００４１】
続いて、外観部材及び保持部材ＨＭをなすフレーム１３及びシャーシ１４の構成について説明する。フレーム１３及びシャーシ１４は、いずれも例えばアルミニウムなどの金属製とされており、仮に合成樹脂製とした場合に比べると、機械的強度（剛性）及び熱伝導性がいずれも高くなっている。つまり、フレーム１３及びシャーシ１４を構成する材料は、いずれも遮光性を有する遮光性材料である、とも言える。これらフレーム１３及びシャーシ１４は、図３に示すように、その短辺方向についての両端部（両長辺側端部）に対をなすＬＥＤユニットＬＵをそれぞれ収容しつつも、互いに積層配置された液晶パネル１１、光学部材１５及び導光板１６を表側と裏側とから挟み込む形で保持するものとされる。
【００４２】
フレーム１３は、図３に示すように、液晶パネル１１の表示面１１ｃにおける表示領域を取り囲むよう、全体として横長の枠状をなしている。フレーム１３は、液晶パネル１１の表示面１１ｃに並行する基壁部１３ａと、基壁部１３ａの外周側部分から裏側に向けて突出する側壁部１３ｂとからなり、断面形状が略Ｌ字型となっている。このうち、基壁部１３ａは、液晶パネル１１の外周側部分（非表示領域、額縁部分）に倣って横長の枠状をなしている。さらに基壁部１３ａは、液晶パネル１１の外周側部分に加えて、液晶パネル１１の外周側部分よりも放射方向について外側に配される光学部材１５及び導光板１６の外周側部分、及び各ＬＥＤユニットＬＵをも表側から覆うことが可能な幅を有している。基壁部１３ａのうち表側を向いた外面（液晶パネル１１に対する対向面とは反対側の面）は、液晶パネル１１の表示面１１ｃと同じく液晶表示装置１０における表側外部に露出しており、液晶パネル１１の表示面１１ｃと共に液晶表示装置１０の正面を構成している。一方、側壁部１３ｂは、基壁部１３ａにおける外周側部分（詳しくは外周端部）から裏側に向けて突出する略角筒状をなしている。側壁部１３ｂは、内部に収容される液晶パネル１１、光学部材１５、導光板１６及び各ＬＥＤユニットＬＵを全周にわたって取り囲むとともに、裏側のシャーシ１４をもほぼ全周にわたって取り囲むことが可能とされる。側壁部１３ｂは、液晶表示装置１０における周方向に沿った外面が、液晶表示装置１０における周方向外部に露出しており、液晶表示装置１０における天面、底面、両側面を構成している。
【００４３】
上記した基礎的構成を有する枠状のフレーム１３は、図６に示すように、各辺（各長辺部分及び各短辺部分）毎に分割された４つの分割フレーム１３Ｓを組み付けてなるものとされる。詳しくは、分割フレーム１３Ｓは、フレーム１３（基壁部１３ａ及び側壁部１３ｂ）における各長辺側部分を構成する一対の長辺側分割フレーム１３ＳＬと、各短辺側部分を構成する一対の短辺側分割フレーム１３ＳＳとからなるものとされる。長辺側分割フレーム１３ＳＬは、Ｘ軸方向に沿って延在する断面略Ｌ字型の角柱材からなるのに対し、短辺側分割フレーム１３ＳＳは、Ｙ軸方向に沿って延在する断面略Ｌ字型の角柱材からなる。これにより、各分割フレーム１３Ｓを製造するに際して、例えば金属材料を押し出し成形する、といった製造方法を採用することが可能となるから、仮に枠状のフレーム１３を金属材料の削り出しなどの製造方法によって製造した場合に比べて、製造コストの低廉化を図ることができる。隣り合う長辺側分割フレーム１３ＳＬ及び短辺側分割フレーム１３ＳＳは、それぞれの延在方向についての端部同士を連結することで、枠状のフレーム１３を構成している。この長辺側分割フレーム１３ＳＬ及び短辺側分割フレーム１３ＳＳの連結部位（フレーム１３の継ぎ目）である各端部は、図７に示すように、平面に視てＸ軸方向及びＹ軸方向の双方に対して傾斜状をなしており、詳しくは基壁部１３ａの各角部における内端位置と外端位置とを結んだ直線に倣う形状とされている。なお、長辺側分割フレーム１３ＳＬは、液晶パネル１１、光学部材１５及び導光板１６に加えて各ＬＥＤユニットＬＵを覆うため（図８を参照）、ＬＥＤユニットＬＵを覆うことがない短辺側分割フレーム１３ＳＳ（図１０を参照）に比べて相対的に幅広に形成されている。
【００４４】
基壁部１３ａにおける側壁部１３ｂよりも内寄り（導光板１６寄り）の位置には、図４及び図５に示すように、ネジ部材（固定部材）ＳＭが取り付けられるネジ取付部（固定部材取付部）２１が一体形成されている。ネジ取付部２１は、基壁部１３ａの内面からＺ軸方向に沿って裏側に向けて突出するとともに、基壁部１３ａの各辺（Ｘ軸方向またはＹ軸方向）に沿って延在する横長な略ブロック状をなしている。ネジ取付部２１は、基壁部１３ａにおける各辺にそれぞれ設けられるとともにそれぞれが各辺の全長にわたる長さ寸法を有している。ネジ取付部２１は、図６に示すように、フレーム１３を構成する各分割フレーム１３Ｓにそれぞれ分けて設けられており、各分割フレーム１３Ｓが組み付けられると、全体として角筒状の側壁部１３ｂの内面に対して全周にわたって連なる枠状をなすものとされる。ネジ取付部２１には、図４及び図５に示すように、裏側に向けて開口するとともにネジ部材ＳＭを締め付けることが可能な溝部２１ａが形成されている。溝部２１ａは、ネジ取付部２１における長さ方向に沿ってほぼ全長にわたって形成されており、その幅寸法がネジ部材ＳＭの軸部よりもやや小さい程度の大きさとされている。ネジ取付部２１は、Ｚ軸方向について、フレーム１３の基壁部１３ａとシャーシ１４との間に介在する形で配されている。なお、長辺側のネジ取付部２１と、その内側に配されるＬＥＤユニットＬＵをなす放熱部材１９のＬＥＤ取付部１９ａとの間には、所定の空間が有されており、ここがプリント基板２７を収容可能な基板収容空間ＢＳとされている（図４）。また、このプリント基板２７は、ＦＰＣの一端側が差し込まれて接続されるコネクタ部（ＦＰＣ共々図示せず）を有しており、このＦＰＣの他端側がシャーシ１４に形成されたＦＰＣ挿通孔（図示せず）を通してシャーシ１４の裏側外部に引き出されるとともにコントロール基板ＣＴＢに接続されている。
【００４５】
基壁部１３ａのうち、ネジ取付部２１よりも内寄りの位置には、図４及び図５に示すように、基壁部１３ａと導光板１６の外周側の各端部１６ＥＰとの間に介在するとともに導光板１６を表側（表示面１１ｃ側）から支持する導光板支持部２３が設けられている。この導光板支持部２３は、基壁部１３ａの各辺における内面からＺ軸方向（ネジ取付部２１の突出方向）に沿って裏側（導光板１６）に向けてそれぞれ突出するとともに、基壁部１３ａの各辺（ネジ取付部２１）に沿って延在する細長い略ブロック状をなしている。導光板支持部２３は、基壁部１３ａにおける各辺にそれぞれ設けられるとともにそれぞれが各辺の全長にわたる長さ寸法を有している。導光板支持部２３は、図６に示すように、上記したネジ取付部２１と同様に、フレーム１３を構成する各分割フレーム１３Ｓにそれぞれ分割して設けられており、各分割フレーム１３Ｓが組み付けられると、全体として基壁部１３ａ（導光板１６）の全周にわたって配される略枠状をなすものとされる。
【００４６】
導光板支持部２３は、図４及び図５に示すように、導光板１６のうち液晶パネル１１よりも外側に突き出した外周側の各端部１６ＥＰと平面に視て（表示面１１ｃ側から視て）重畳する配置とされており、その突出先端面が導光板１６の外周側の各端部１６ＥＰにおける表側の面、つまり光出射面１６ａに対して当接されている。従って、導光板支持部２３は、後述するシャーシ１４との間で導光板１６を挟み込んだ状態で表側（表示面１１ｃ側）から支持することができる。導光板１６は、その外周側の各端部１６ＥＰが概ね全周にわたって略枠状をなす導光板支持部２３によって表側から押さえられることになる。言い換えると、導光板支持部２３は、導光板１６の外周側の各端部１６ＥＰに沿って延在する平面形状を有するとともに導光板１６の外周側の各端部１６ＥＰを概ね全周にわたって表側から押さえている。導光板支持部２３が当接される導光板１６の外周側の各端部１６ＥＰにおける長辺側の端部１６ＥＰは、ＬＥＤ１７に対する光入射面１６ｂを有する端部であることから、導光板支持部２３によって導光板１６を支持することで、ＬＥＤ１７と光入射面１６ｂとのＺ軸方向についての位置関係を安定的に維持することが可能とされている。しかも、導光板支持部２３は、導光板１６に当接されることで、その内側の空間（液晶パネル１１の各端部１１ａＥＰ，１１ｂＥＰが臨む空間）と、外側の空間（導光板１６の外周側の各端部１６ＥＰが臨む空間）とを仕切っており、両空間間を光が行き来するのを遮る遮光機能をも有している。これにより、例えば導光板１６の外周側の各端部１６ＥＰから光が外部に漏れ出した場合でも、その光が導光板支持部２３によって遮光されることで、導光板支持部２３よりも内側の空間に配された液晶パネル１１の各端部１１ａＥＰ，１１ｂＥＰに入光するのが遮られるようになっている。この導光板支持部２３には、図６，図９及び図１１に示すように、各フレキシブル基板２６，２８と平面に視て重畳する位置に、各フレキシブル基板２６，２８を挿通するフレキシブル基板挿通溝部２３ａが複数間欠的に並列する形で形成されている。なお、図６では、液晶パネル１１及び各フレキシブル基板２６，２８などの外形を二点鎖線にて図示している。
【００４７】
一方、シャーシ１４は、図３に示すように、導光板１６及びＬＥＤユニットＬＵなどを裏側からほぼ全域にわたって覆うよう、全体として横長な略浅皿状をなしている。このシャーシ１４のうち裏側を向いた外面（導光板１６及びＬＥＤユニットＬＵに対する対向面とは反対側の面）は、液晶表示装置１０における裏側外部に露出していて液晶表示装置１０の背面を構成している。シャーシ１４は、導光板１６と同様に横長の方形状をなす底板部１４ａと、底板部１４ａにおける両長辺側端部からそれぞれ裏側に段差状に突出するとともにＬＥＤユニットＬＵを収容する一対のＬＥＤ収容部（光源収容部）１４ｂとを有している。
【００４８】
底板部１４ａは、図３及び図４に示すように、導光板１６における短辺方向についての中央側の大部分（短辺方向についての両端部分を除いた部分）を裏側から受けることが可能な平板状をなしており、導光板１６に対する受け部を構成していると言える。底板部１４ａのうち、その長辺方向についての両端側部分は、図５に示すように、導光板１６の長辺方向についての両端部よりも外側にそれぞれ延出するとともに、フレーム１３とシャーシ１４とを組み付け状態に固定するためのネジ部材（固定部材）ＳＭが外部から装着される一対のネジ装着部（固定部材装着部）１４ａ１とされている。
【００４９】
ＬＥＤ収容部１４ｂは、図３及び図４に示すように、底板部１４ａをその短辺方向の両側から挟み込む形で配されるとともに、底板部１４ａよりも一段裏側に引っ込むことで、ＬＥＤユニットＬＵを収容可能とされる。ＬＥＤ収容部１４ｂは、底板部１４ａに並行するとともにネジ部材ＳＭが外部から装着されるネジ装着部（固定部材装着部）１４ｂ１と、ネジ装着部１４ｂ１の両端部から表側に向けてそれぞれ立ち上がる一対の側板部１４ｂ２とから構成され、一対の側板部１４ｂ２のうちの内側の側板部１４ｂ２が底板部１４ａに連なっている。そして、ＬＥＤ収容部１４ｂにおけるネジ装着部１４ｂ１には、その内面に対してＬＥＤユニットＬＵを構成する放熱部材１９の放熱部１９ｂが面接触された状態で配されている。また、ＬＥＤ収容部１４ｂにおける外側の側板部１４ｂ２は、長辺側のネジ取付部２１と側壁部１３ｂとの間に有される隙間に挿入されることで、シャーシ１４をフレーム１３に対してＹ軸方向について位置決めする機能を有している。
【００５０】
このように本実施形態に係るシャーシ１４における外周側部分のうち、両長辺側部分には、図３に示すように、ＬＥＤ収容部１４ｂを構成する一対のネジ装着部１４ｂ１が、両短辺側部分には、底板部１４ａを構成する一対のネジ装着部１４ａ１がそれぞれ形成されていることになる。底板部１４ａが有する一対のネジ装着部１４ａ１と、ＬＥＤ収容部１４ｂが有する一対のネジ装着部１４ｂ１とには、それぞれネジ部材ＳＭを通すネジ挿通孔２５がそれぞれ複数ずつ開口形成されている。各ネジ装着部１４ａ１，１４ｂ１は、フレーム１３のネジ取付部２１に対して平面に視て重畳する配置とされており、各ネジ装着部１４ａ１，１４ｂ１に形成された各ネジ挿通孔２５がネジ取付部２１の溝部２１ａに連通されている。従って、ネジ部材ＳＭは、シャーシ１４の裏側（表示面１１ｃ側とは反対側）からＺ軸方向（液晶パネル１１、光学部材１５及び導光板１６の重なり方向）に沿ってネジ挿通孔２５を通されるとともに各ネジ装着部１４ａ１，１４ｂ１を挟んだ状態でネジ取付部２１の溝部２１ａに締め付けられるようになっている。ネジ部材ＳＭが締め付けられると、溝部２１ａには、ネジ部材ＳＭの軸部に形成されたネジ山によってネジ溝が螺刻形成されるようになっている。なお、ＬＥＤ収容部１４ｂが有する一対のネジ装着部１４ｂ１に形成されたネジ挿通孔２５には、図８に示すように、ネジ部材ＳＭの軸部のみを通す大きさの共締め用ネジ挿通孔２５Ａと、図９に示すように、ネジ部材ＳＭの軸部に加えて頭部をも通す大きさの放熱部材用ネジ挿通孔２５Ｂとがあり、前者に通されるネジ部材ＳＭが放熱部１９ｂ及び収容底板部１４ｂ１を共締めしてネジ取付部２１に取り付けるのに対し、後者に通されるネジ部材ＳＭが放熱部１９ｂのみをネジ取付部２１に取り付けるのに機能する。
【００５１】
ところで、本実施形態に係る液晶表示装置１０では、液晶パネル１１及び導光板１６が直接重ね合わせられており、従来のように導光板と液晶パネルとの間にパネル受け部材が介在する構成とはなっていないため、液晶パネル１１の端部１１ａＥＰ，１１ｂＥＰへの光漏れが生じるのが懸念される。特に、液晶パネル１１の端部１１ａＥＰ，１１ｂＥＰにおける端面１１ａＥＦ，１１ｂＥＦに光が直接入射すると、端面１１ａＥＦ，１１ｂＥＦから入射した光によって液晶パネル１１に表示される画像に係る表示品位が著しく劣化するという問題があった。
【００５２】
そこで、本実施形態に係るフレーム１３には、図４及び図５に示すように、液晶パネル１１を表側から押さえるパネル押さえ部２９が設けられており、そのパネル押さえ部２９に、液晶パネル１１の端部１１ａＥＰ，１１ｂＥＰにおける端面１１ａＥＦ，１１ｂＥＦに接する形で配される遮光部３０が設けられている。このようにすれば、遮光部３０よりも外側に存する光、具体的にはＬＥＤ１７からの光や導光板１６の上記端部１６ＥＰから漏れ出した光が、液晶パネル１１の上記端面１１ａＥＦ，１１ｂＥＦに直接入射するのを遮光部３０によって遮光することができる。これにより、液晶パネル１１への光漏れを良好に抑制することができ、もって液晶パネル１１に表示される画像の表示品位を高く保つことができるのである。しかも、遮光部３０をパネル押さえ部２９に設けることで、両者で協働して液晶パネル１１を安定的に位置決め状態に支持することができる、といった効果も得られる。以下、パネル押さえ部２９及び遮光部３０の構成について詳しく説明する。
【００５３】
パネル押さえ部２９及び遮光部３０は、図８及び図１０に示すように、フレーム１３の基壁部１３ａのうち、導光板支持部２３に対して内側に隣り合う位置に配されており、基壁部１３ａにおける裏側（液晶パネル１１側）を向いた壁面（内壁面）に対して接着剤や両面テープなどの固着材を用いて取り付け状態に固着されている。パネル押さえ部２９及び遮光部３０は、同一材料を用いて一体形成されており、互いに連ねられている。これにより、部品点数の削減が図られるとともに、パネル押さえ部２９をフレーム１３の所定位置に取り付けることで、遮光部３０の設置を図ることができるので、組み付け作業性にも優れ、もってコスト面で優れる。パネル押さえ部２９及び遮光部３０は、弾性材料であるゴム材料からなるものとされる。このようにすれば、液晶パネル１１をパネル押さえ部２９及び遮光部３０にて弾性的に支持することができるので、液晶パネル１１に作用する衝撃を緩和する（緩衝を図る）ことができるとともに、液晶パネル１１に対するパネル押さえ部２９及び遮光部３０の密着性を高くすることができる。パネル押さえ部２９及び遮光部３０をなすゴム材料は、表面が黒色を呈する遮光材料とされているから、遮光部３０に加えてパネル押さえ部２９にも遮光性能を持たせることができる。
【００５４】
パネル押さえ部２９及び遮光部３０は、図６に示すように、既述したネジ取付部２１及び導光板支持部２３と同様に、フレーム１３を構成する各分割フレーム１３Ｓにおいて、各辺に沿って延在する形態とされつつも各辺毎にそれぞれ分割して設けられており、各分割フレーム１３Ｓが組み付けられると、全体として基壁部１３ａの内周縁部において全周にわたって配される枠状をなすものとされる。このようにすれば、全体として枠状をなすパネル押さえ部２９及び遮光部３０の各辺に対応した分割部品をそれぞれ製造し、それら４つの分割部品をフレーム１３の各辺に対して取り付けるようにすればよいから、仮に枠状のパネル押さえ部２９及び遮光部３０を一部品として製造した場合に比べると、取り扱い性に優れる、などの効果が得られる。
【００５５】
パネル押さえ部２９は、図７，図８及び図１０に示すように、遮光部３０に対して内側に隣り合う位置に配されるとともに、液晶パネル１１のうち表側のＣＦ基板１１ａにおける外周端部（４辺の各端部１１ａＥＰ）と平面に視て（表示面１１ｃ側から視て）重畳する位置に配されている。パネル押さえ部２９は、その裏側（基壁部１３ａ側とは反対側）の面が液晶パネル１１のＣＦ基板１１ａの外周側の各端部１１ａＥＰにおける表側の板面１１ａＥＰＳに対して当接（面接触）されている。従って、パネル押さえ部２９は、シャーシ１４との間で液晶パネル１１、光学部材１５及び導光板１６を挟み込んだ状態で表側（表示面１１ｃ側）から弾性的に保持している。液晶パネル１１は、そのＣＦ基板１１ａの外周端部が概ね全周にわたって略枠状をなすパネル押さえ部２９によって表側から押さえられることになる。言い換えると、パネル押さえ部２９は、液晶パネル１１のＣＦ基板１１ａにおける外周側の各端部１１ａＥＰに沿って延在する平面形状を有するとともにＣＦ基板１１ａにおける外周側の各端部１１ａＥＰを概ね全周にわたって表側から押さえている。
【００５６】
遮光部３０は、図７，図８及び図１０に示すように、パネル押さえ部２９に対して外側に隣り合う位置に配されるとともに、液晶パネル１１のうち裏側のアレイ基板１１ｂにおける外周端部（４辺の各端部１１ｂＥＰ）と平面に視て（表示面１１ｃ側から視て）重畳する位置に配されている。遮光部３０は、アレイ基板１１ｂの端面１１ｂＥＦを挟んでその内外にわたる範囲に配されており、端面１１ｂＥＦよりも内側に配される内側部分３０ａがアレイ基板１１ｂの端部１１ｂＥＰと平面に視て重畳するのに対し、端面１１ｂＥＦよりも外側に配される外側部分３０ｂがアレイ基板１１ｂの端部１１ｂＥＰとは平面に視て非重畳とされる。この遮光部３０の外側部分３０ｂは、導光板１６のうち液晶パネル１１のアレイ基板１１ｂよりも外側に配された端部１６ＥＰと平面に視て重畳する配置とされる。
【００５７】
そして、遮光部３０は、図８及び図１０に示すように、全体の断面形状が液晶パネル１１の端部１１ａＥＰ，１１ｂＥＰの外形に倣うよう、略階段状に形成されており、内側から順にＣＦ基板１１ａの端部１１ａＥＰにおける端面１１ａＥＦ、アレイ基板１１ｂの端部１１ｂＥＰにおける表側の板面１１ｂＥＰＳ、アレイ基板１１ｂの端部１１ｂＥＰにおける端面１１ｂＥＦに対してそれぞれ接触した状態に保たれている。詳しくは、遮光部３０のうちの内側部分３０ａが、ＣＦ基板１１ａの端部１１ａＥＰにおける端面１１ａＥＦ及びアレイ基板１１ｂの端部１１ｂＥＰにおける表側の板面１１ｂＥＰＳに、外側部分３０ｂが、アレイ基板１１ｂの端部１１ｂＥＰにおける端面１１ｂＥＦに、それぞれ接している。このように、遮光部３０が液晶パネル１１をなす一対の基板１１ａ，１１ｂの各端面１１ａＥＦ，１１ｂＥＦにそれぞれ接しているので、遮光部３０よりも外側に存する光が各端面１１ａＥＦ，１１ｂＥＦに直接入光するのをそれぞれ遮光することができる。特に、アレイ基板１１ｂの端部１１ｂＥＰは、ＣＦ基板１１ａの端部１１ａＥＰに比べると、相対的に導光板１６及びＬＥＤ１７に近いため、それらからの光が入り易い傾向にあるものの、その端面１１ｂＥＦを遮光部３０により遮光することで、高い遮光性能が得られる。しかも、遮光部３０は、アレイ基板１１ｂの端部１１ｂＥＰにおける表側の板面１１ｂＥＰＳにも接していることから、アレイ基板１１ｂの端部１１ｂＥＰへの直接の入光をより確実に遮光することができる。これにより、一層高い遮光性能を得ることができて、液晶パネル１１への光漏れをより確実に防ぐことができる。その上で、遮光部３０は、液晶パネル１１をほぼ全周にわたって取り囲む形で配されているので、一部（後述するフレキシブル基板挿通溝部３０ｃ）を除いては、各基板１１ａ，１１ｂの各端面１１ａＥＦ，１１ｂＥＦ及び板面１１ｂＥＦＳをほぼ全域にわたって覆うとともにその遮光を図ることができる。
【００５８】
さらには、遮光部３０のうち、アレイ基板１１ｂの端部１１ｂＥＰの端面１１ｂＥＦに当接される外側部分３０ｂは、図８及び図１０に示すように、アレイ基板１１ｂの裏側の板面よりも裏側（導光板１６側）に突き出す形で配されているから、アレイ基板１１ｂの厚さ方向について端面１１ｂＥＦに対して全域にわたって確実に当接した状態に保たれるようになっている。その上、遮光部３０の外側部分３０ｂのうち、アレイ基板１１ｂの裏側の板面よりも裏側に突き出した部分は、光学部材１５の端面１５ＥＦに対して所定の隙間を空けつつその外側に対向状に配されているから、光学部材１５の端面１５ＥＦに光が直接入光し難くすることができ、また上記隙間が確保されることで光学部材１５が熱膨張するのに伴って伸長するのを許容することもできる。
【００５９】
また、フレーム１３の基壁部１３ａのうちパネル押さえ部２９よりも内側の位置には、図８及び図１０に示すように、裏側に向けて突出するとともにパネル押さえ部２９の内端部に接することで、パネル押さえ部２９を位置決めする位置決め部２４が設けられている。位置決め部２４は、図６及び図７に示すように、フレーム１３の基壁部１３ａにおける内端位置（内縁部）に配されるとともにその全周にわたって延在する平面視略枠状をなしている。これにより、位置決め部２４と同様に平面視略枠状をなすパネル押さえ部２９及び遮光部３０をその放射方向（Ｘ軸方向及びＹ軸方向）について位置ずれするのを防ぐことができる。もって、パネル押さえ部２９及び遮光部３０を確実に液晶パネル１１に対して接触した状態に保つことができるとともに、パネル押さえ部２９及び遮光部３０が基壁部１３ａの内端位置よりも内側にはみ出すのを防ぐことができる。なお、パネル押さえ部２９及び遮光部３０は、内側の位置決め部２４と、外側の導光板支持部２３との間に挟まれる形で配されている、と言える。
【００６０】
また、平面視枠状をなす遮光部３０には、図６，図９及び図１１に示すように、液晶パネル１１に接続された各フレキシブル基板２６，２８と平面に視て重畳する位置に、各フレキシブル基板２６，２８を挿通するフレキシブル基板挿通溝部３０ｃが複数間欠的に並列する形でそれぞれ形成されている。遮光部３０に形成されたフレキシブル基板挿通溝部３０ｃは、導光板支持部２３に形成されたフレキシブル基板挿通溝部２３ａとＸ軸方向及びＹ軸方向についての平面配置がほぼ同じとされており、相互に連通している。
【００６１】
本実施形態は以上のような構造であり、続いてその作用を説明する。液晶表示装置１０を製造するには、それぞれ別途に製造した各構成部品（フレーム１３、シャーシ１４、液晶パネル１１、光学部材１５、導光板１６、ＬＥＤユニットＬＵなど）を相互に組み付けるようにして行う。組み付けに際しては、各構成部品は、その全てが図４及び図５に示す姿勢とはＺ軸方向について天地反転させた姿勢でもって組み付けられる。まず、図１２及び図１３に示すように、構成部品のうちのフレーム１３を、その裏側の面が鉛直方向の上側を向く姿勢としつつ図示しない作業台上にセットする。なお、フレーム１３は、予め４つの分割フレーム１３Ｓを相互に連結することで、全体として枠状に形成されている。
【００６２】
フレーム１３には、図１２及び図１３に示すように、液晶パネル１１の組み付けに先立ってパネル押さえ部２９及び遮光部３０が取り付けられている。これらパネル押さえ部２９及び遮光部３０は、一体形成されることで一部品化されているので、その部品管理が容易になるとともに組付作業性に優れる。しかも、パネル押さえ部２９及び遮光部３０の組み付けに際しては、フレーム１３における内端部に設けられた位置決め部２４によってパネル押さえ部２９及び遮光部３０をＸ軸方向及びＹ軸方向について位置決めすることができるから、組付作業性にさらに優れるとともに、パネル押さえ部２９及び遮光部３０がフレーム１３に対して高い精度でもって設置され、後述する液晶パネル１１の各端面１１ａＥＦ，１１ｂＥＦを確実に接触させることができる。また、全体として枠状をなすパネル押さえ部２９及び遮光部３０は、フレーム１３と同様に各辺毎に分割されているから、組み付け時などにおける取り扱い性に優れる。
【００６３】
液晶パネル１１は、図１２及び図１３に示すように、上記した姿勢でセットされたフレーム１３に対してＣＦ基板１１ａが鉛直方向の下側に、アレイ基板１１ｂが鉛直方向の上側になる姿勢で組み付けられる。このとき、液晶パネル１１のうち表側のＣＦ基板１１ａは、４辺の各端部１１ａＥＰが、フレーム１３に取り付けられたパネル押さえ部２９の裏側の面により受けられることで、ほぼ全周にわたって表側、つまり組み付け時の鉛直方向の下側からＺ軸方向について支持される。一方、液晶パネル１１のうち裏側のアレイ基板１１ｂは、４辺の各端部１１ｂＥＰの板面１１ｂＥＰＳがフレーム１３に取り付けられた遮光部３０の内側部分３０ａの裏側の面によって、上記と同様に裏側からＺ軸方向について支持される。さらには、ＣＦ基板１１ａの４辺の各端部１１ａＥＰにおける端面１１ａＥＦは、遮光部３０の内側部分３０ａにおける内周面に当接され、アレイ基板１１ｂの４辺の各端部１１ｂＥＰにおける端面１１ｂＥＦは、遮光部３０の外側部分３０ｂにおける内周面に当接されるので、液晶パネル１１は、Ｘ軸方向及びＹ軸方向について位置決めされる。言い換えると、液晶パネル１１は、断面が略階段形状とされて全体として裏側に開口した凹状をなすパネル押さえ部２９及び遮光部３０に対して凹凸嵌合されることで、その表示面１１ｃに沿った方向について位置決めが図られている。これにより、液晶パネル１１を位置決め状態で支持することができる。しかも、パネル押さえ部２９及び遮光部３０は、弾性材料であるゴム材料からなるものであるから、液晶パネル１１のうち損傷が生じ易い端部１１ａＥＰ，１１ｂＥＰの緩衝を図ることができ、組み付け時にクラックなどの損傷が生じるのを防ぐことができる。さらには、遮光部３０の外側部分３０ｂは、液晶パネル１１の裏側の板面よりもさらに裏側に突き出すような高さを有していることから、液晶パネル１１を組み付ける際に、その端面１１ａＥＦ，１１ｂＥＦに対して外側部分３０ｂを確実に接触させることができ、後述する遮光部３０の遮光性能を確実に発揮させることができる。
【００６４】
なお、液晶パネル１１のアレイ基板１１ｂの一方の長辺側の端部１１ｂＥＰ及び一方の短辺側の端部１１ｂＥＰには、フレーム１３への組み付けに先立って各フレキシブル基板２６，２８及びプリント基板２７が接続されている。プリント基板２７は、図１２に示すように、その板面がフレーム１３の長辺側のネジ取付部２１における液晶パネル１１側を向いた面に沿う姿勢とされつつネジ取付部２１に取り付けられる。このため、ソース側フレキシブル基板２６は、途中で略Ｌ字型に屈曲される。この取り付け過程では、各フレキシブル基板２６，２８は、平面に視て重畳する位置関係とされた遮光部３０の各フレキシブル基板挿通溝部３０ｃと、導光板支持部２３の各フレキシブル基板挿通溝部２３ａとにそれぞれ挿通される（図６を参照）。液晶パネル１１を上記のようにしてフレーム１３に組み付けたら、続いて各光学部材１５を順次に液晶パネル１１の裏側の面上に直接積層配置する。
【００６５】
一方、フレーム１３には、図１２に示すように、ＬＥＤ１７、ＬＥＤ基板１８及び放熱部材１９を一体化してなるＬＥＤユニットＬＵが組み付けられる。ＬＥＤユニットＬＵは、ＬＥＤ１７がフレーム１３における中央側（内側）を向くとともに、放熱部材１９における放熱部１９ｂがフレーム１６のネジ取付部２１と対向する姿勢とされた状態で、フレーム１３の各長辺側のネジ取付部２１に対して取り付けられる。各ＬＥＤユニットＬＵを各ネジ取付部２１に対して取り付けた状態では、放熱部１９ｂが有する各挿通孔１９ｂ１をネジ取付部２１の溝部２１ａに対して連通させるようにする。また、一対のＬＥＤユニットＬＵのうち、ソース側フレキシブル基板２６と平面に視て重畳する位置関係にあるものに関しては、放熱部材１９がネジ取付部２１に対して取り付けられると、そのＬＥＤ取付部１９ａとネジ取付部２１との間に基板収容空間ＢＳが形成され、そこにプリント基板２７が収容されることになる。このようにしてＬＥＤユニットＬＵをネジ取付部２１に取り付けたら、続いて裏側からネジ部材ＳＭを放熱部１９ｂにおける所定の挿通孔１９ｂ１に通してネジ取付部２１の溝部２１ａに対して螺合させる。このネジ部材ＳＭの頭部とネジ取付部２１との間で放熱部材１９の放熱部１９ｂが挟持されることで、ＬＥＤユニットＬＵは、次述するシャーシ１４を組み付ける前の段階において、ネジ取付部２１に対して取り付け状態に保持される（図９を参照）。なお、ＬＥＤユニットＬＵをフレーム１３に組み付けるタイミングは、光学部材１５を組み付ける前であったり、或いは液晶パネル１１を組み付ける前であっても構わない。
【００６６】
ＬＥＤユニットＬＵをネジ取付部２１に対してネジ止めする作業を終えたら、図１２及び図１３に示すように、導光板１６を、最も裏側に配される光学部材１５の裏側の面上に直接積層配置する。このとき、導光板１６のうち液晶パネル１１の端部よりも外側に突き出す端部１６ＥＰは、フレーム１３の導光板支持部２３によって表側、つまり組み付け時の鉛直方向の下側から支持される。この導光板支持部２３は、全体として導光板１６の外形に倣う略枠状をなしているので、導光板１６の端部１６ＥＰは、ほぼ全周にわたって導光板支持部２３によって支持されることになる。導光板１６の組み付けを終えたら、続いて導光反射シート２０を導光板１６の光出射面１６ａとは反対側の板面１６ｃ上に直接積層配置する作業を行う。
【００６７】
上記のようにしてフレーム１３に対して液晶パネル１１、光学部材１５、導光板１６、及びＬＥＤユニットＬＵを組み付けたら、続いてシャーシ１４を組み付ける作業を行う。シャーシ１４は、図１２及び図１３に示すように、その表側の面が鉛直方向の下側を向く姿勢とされた状態で、フレーム１３に対して組み付けられる。このとき、シャーシ１４のうち両ＬＥＤ収容部１４ｂにおける外側の各収容側板部１４ｂ２を、フレーム１３における両長辺側の側壁部１３ｂとネジ取付部２１との間の隙間に挿入することで、フレーム１３に対してシャーシ１４がＹ軸方向について位置決めされる。組付過程では、予め放熱部材１９及びネジ取付部２１に取り付けられたネジ部材ＳＭの頭部が、シャーシ１４の両ＬＥＤ収容部１４ｂにおける各放熱部材用ネジ挿通孔２５Ｂに通される（図９を参照）。そして、シャーシ１４のうち底板部１４ａが導光板１６（導光反射シート２０）に、底板部１４ａの各ＬＥＤ装着部１４ａ１が各ネジ取付部２１に、各ＬＥＤ収容部１４ｂのＬＥＤ装着部１４ｂ１が各放熱部材１９の放熱部１９ｂにそれぞれ当接されたところで、底板部１４ａのＬＥＤ装着部１４ａ１が有する各ネジ挿通孔２５と、各ＬＥＤ収容部１４ｂのＬＥＤ装着部１４ｂ１が有する各共締め用ネジ挿通孔２５Ａとにそれぞれ裏側からネジ部材ＳＭを通し、そのネジ部材ＳＭをネジ取付部２１の溝部２１ａに螺合させる。このネジ部材ＳＭによってＬＥＤユニットＬＵ及びシャーシ１４がネジ取付部２１に対して取り付け状態に保持される（図８を参照）。このようにして取り付けられた各ネジ部材ＳＭは、液晶表示装置１０における裏側の外観を構成するシャーシ１４の裏面側に配されていることから、表側、つまり液晶表示装置１０を使用する使用者側からは直接視認され難くなっており、もって液晶表示装置１０の外観がすっきりとしたデザイン性の高いものとなる。
【００６８】
以上のようにして液晶表示ユニットＬＤＵの組み付けが完了する。その後、液晶表示ユニットＬＤＵに対してその裏面側にスタンド取付部材ＳＴＡ及び各種基板ＰＷＢ，ＭＢ，ＣＴＢを組み付けた後に、スタンドＳＴ及びカバー部材ＣＶを組み付けることで、液晶表示装置１０及びテレビ受信装置ＴＶが製造される。このようにして製造された液晶表示装置１０は、液晶パネル１１を表示面１１ｃ側から押さえるフレーム１３、及びバックライト装置１２を構成するシャーシ１４がそれぞれ外観を構成しているのに加え、液晶パネル１１と光学部材１５とが直接積層されているので、従来のようにフレーム１３及びシャーシ１４とは別途に合成樹脂製のキャビネットや、液晶パネル１１と光学部材１５との間に介在して両者を非接触となるように保つパネル受け部材を有するものに比べると、部品点数及び組付工数が削減されることで製造コストが低廉化するとともに、薄型化及び軽量化が図られている。
【００６９】
上記のようにして製造された液晶表示装置１０の電源をＯＮすると、図４に示すように、電源基板ＰＷＢからの電力供給を受けて、コントロール基板ＣＴＢから各種信号がプリント基板２７及び各フレキシブル基板２６，２８（各ドライバＤＲ）を介して液晶パネル１１に供給されてその駆動が制御されるとともに、バックライト装置１２を構成する各ＬＥＤ１７が駆動される。各ＬＥＤ１７からの光は、導光板１６により導光されてから光学部材１５を透過することで、均一な面状の光に変換されてから液晶パネル１１に照射され、もって液晶パネル１１に所定の画像が表示される。バックライト装置１２に係る作用について詳しく説明すると、各ＬＥＤ１７を点灯させると、各ＬＥＤ１７から出射した光は、図８に示すように、導光板１６における光入射面１６ｂに入射する。光入射面１６ｂに入射した光は、導光板１６における外部の空気層との界面にて全反射されたり、導光反射シート２０により反射されるなどして導光板１６内を伝播される過程で、図示しない反射部または散乱部によって反射または散乱されることで光出射面１６ａから出射されて光学部材１５に照射される。
【００７０】
ここで、本実施形態に係る液晶表示装置１０においては、導光板１６に対して液晶パネル１１が直接的に積層されていて、従来のようにパネル受け部材が介在する構成とはなっていない。従って、単純にこのパネル受け部材を廃止した場合には、ＬＥＤ１７からの光や導光板１６の端部１６ＥＰから漏れ出した光が液晶パネル１１の端部１１ａＥＰ，１１ｂＥＰに直接入光するなどして光漏れが生じるのが懸念される。特に、液晶パネル１１の端部１１ａＥＰ，１１ｂＥＰにおける端面１１ａＥＦ，１１ｂＥＦに光が直接入射すると、その入射した光によって液晶パネル１１に表示される画像に係る表示品位が著しく劣化するという問題があった。その点、本実施形態では、図９及び図１１に示すように、遮光部３０が液晶パネル１１の端部１１ａＥＰ，１１ｂＥＰにおける端面１１ａＥＦ，１１ｂＥＦに接する形で配されているので、遮光部３０よりも外側に存する光、具体的にはＬＥＤ１７から端面１１ａＥＦ，１１ｂＥＦへ向かう光や導光板１６の端部１６ＥＰ（特に導光板支持部２３よりも内側に配された部分の光出射面１６ａ）から漏れ出した光が、液晶パネル１１の端面１１ａＥＦ，１１ｂＥＦに直接入光するのを遮光することができる。これにより、液晶パネル１１への光漏れを防ぐことができる。
【００７１】
しかも、液晶パネル１１のＣＦ基板１１ａを表側から押さえるパネル押さえ部２９が遮光部３０を一体に有するとともに遮光材料からなるものとされているから、遮光部３０に加えてパネル押さえ部２９によっても遮光を図ることができ、ＣＦ基板１１ａの端部１１ａＥＰにおける表側の板面１１ａＥＰＳへの入光や、端部１１ａＥＰとパネル押さえ部２９との間からの光漏れを防ぐことができる。さらには、遮光部３０が液晶パネル１１の端部１１ａＥＰ，１１ｂＥＰの外形に倣うよう、略階段状に形成されており、その内側部分３０ａが、ＣＦ基板１１ａの端部１１ａＥＰにおける端面１１ａＥＦ及びアレイ基板１１ｂの端部１１ｂＥＰにおける表側の板面１１ｂＥＰＳに、外側部分３０ｂが、アレイ基板１１ｂの端部１１ｂＥＰにおける端面１１ｂＥＦに、それぞれ接しているから、これら各端面１１ａＥＦ，１１ｂＥＦ及び板面１１ｂＥＰＳへの直接の入光をそれぞれ遮光することができる。特に、アレイ基板１１ｂの端部１１ｂＥＰは、相対的に導光板１６及びＬＥＤ１７に近く、これらからの光が入光し易くなっているものの、その端面１１ｂＥＦ及び板面１１ｂＥＰＳを遮光部３０により遮光することで、高い遮光性能が得られる。これにより、液晶パネル１１、特にアレイ基板１１ｂへの光漏れを効果的に防ぐことができる。その上、遮光部３０の外側に隣り合う形で配された導光板支持部２３が導光板１６の端部１６ＥＰに当接されることで、遮光部３０と共に液晶パネル１１の端面１１ａＥＦ，１１ｂＥＦへの光の直接的な入光を二重に遮光することができるから、遮光性能に一層優れる。特に、導光板支持部２３は、導光板１６の端部１６ＥＰのうちＬＥＤ非対向端面１６ｄから漏れ出した光が、導光板支持部２３よりも内側の空間に入るのを効果的に遮光することができるから、遮光部３０へと向かう光量を少なくすることができる。言い換えると、導光板支持部２３に遮光性能を分担させることで、遮光部３０に必要とされる遮光性能を低くすることができる。
【００７２】
以上説明したように本実施形態の液晶表示装置（表示装置）１０は、ＬＥＤ（光源）１７と、ＬＥＤ１７の光を利用して表示を行う液晶パネル（表示パネル）１１と、液晶パネル１１に対してその表示面１１ｃ側とは反対側に重なるように配されるとともに端面（光入射面１６ｂ）がＬＥＤ１７と対向状に配される導光板１６と、液晶パネル１１及び導光板１６を表示面１１ｃ側とその反対側とから挟み込む形で保持する一対の保持部であるフレーム１３及びシャーシ１４を有し、これら一対の保持部であるフレーム１３及びシャーシ１４の間にＬＥＤ１７を収容してなる保持部材ＨＭと、一対の保持部であるフレーム１３及びシャーシ１４のうち表示面１１ｃ側に配される保持部であるフレーム１３に設けられるとともに液晶パネル１１を表示面１１ｃ側から押さえるパネル押さえ部２９と、パネル押さえ部２９に設けられるとともに液晶パネル１１の端面１１ａＥＦ，１１ｂＥＦに接する形で配される遮光部３０であって、少なくとも遮光部３０よりも外側に存する光が液晶パネル１１の端面１１ａＥＦ，１１ｂＥＦに直接入光するのを遮光する遮光部３０と、を備える。
【００７３】
このようにすれば、ＬＥＤ１７から発せられた光は、導光板１６の端面に入射し導光板１６の内部を伝播してから液晶パネル１１へ導かれるので、その光を利用して液晶パネル１１に画像が表示される。ところで、液晶パネル１１及び導光板１６は、互いに重なるようにして配された状態で保持部材ＨＭが有する一対の保持部であるフレーム１３及びシャーシ１４によって表示面１１ｃ側とその反対側とから挟み込まれる形で保持されており、従来のように導光板１６と液晶パネル１１との間にパネル受け部材が介在する構成となっていないため、液晶パネル１１の端面１１ａＥＦ，１１ｂＥＦへの光漏れが生じるのが懸念される。ところが、液晶パネル１１の端面１１ａＥＦ，１１ｂＥＦには、遮光部３０が接する形で配されているので、少なくとも遮光部３０よりも外側に存する光が、液晶パネル１１の端面１１ａＥＦ，１１ｂＥＦに直接入光するのを遮光することができ、液晶パネル１１への光漏れを良好に抑制することができる。これにより、液晶パネル１１に表示される画像の表示品位を高く保つことができる。しかも、この遮光部３０は、パネル押さえ部２９に設けられているから、パネル押さえ部２９と共に液晶パネル１１を安定的に位置決め状態に支持することができる。本実施形態によれば、光漏れを抑制することができる。
【００７４】
また、遮光部３０及びパネル押さえ部２９は、共に弾性材料からなる。このようにすれば、共に弾性材料からなる遮光部３０及びパネル押さえ部２９によって液晶パネル１１を弾性的に支持することができるから、液晶パネル１１の緩衝を図ることができる。しかも、遮光部３０を液晶パネル１１の端面１１ａＥＦ，１１ｂＥＦに対して密着させることができるから、より高い遮光性能を得ることができ、液晶パネル１１への光漏れをより確実に防ぐことができる。
【００７５】
また、遮光部３０は、パネル押さえ部２９に一体形成されている。このようにすれば、仮に遮光部をパネル押さえ部２９とは別部品として設置した場合に比べると、遮光部３０の設置に係るコストを低く抑えることができる。
【００７６】
また、遮光部３０及びパネル押さえ部２９は、共に遮光性材料からなる。このようにすれば、遮光部３０と共にパネル押さえ部２９によっても遮光を図ることができるから、より高い遮光性能を得ることができる。
【００７７】
また、一対の保持部であるフレーム１３及びシャーシ１４のうち表示面１１ｃ側に配される保持部であるフレーム１３には、液晶パネル１１側に突出するとともにパネル押さえ部２９の内端部に当接することで、遮光部３０及びパネル押さえ部２９を位置決めする位置決め部２４が設けられている。このようにすれば、位置決め部２４によって遮光部３０及びパネル押さえ部２９を位置決めすることで、液晶パネル１１の端面１１ａＥＦ，１１ｂＥＦに対して遮光部３０を高い精度でもって配置することができる。これにより、遮光部３０の遮光性能をより確実に発揮させることができる。
【００７８】
また、液晶パネル１１は、導光板１６側に配されるアレイ基板（第１基板）１１ｂと、導光板１６側とは反対側に配されてパネル押さえ部２９によって押さえられるＣＦ基板（第２基板）１１ａとを有しており、遮光部３０は、少なくともアレイ基板１１ｂの端面１１ｂＥＦに接する形で配されている。このようにすれば、液晶パネル１１を構成する一対の基板のうち、導光板１６側に配されるアレイ基板１１ｂの端面１１ｂＥＦには、ＣＦ基板１１ａの端面１１ａＥＦに比べると、少なくとも遮光部３０の外側に存する光が直接入光し易くなっているので、少なくともこのアレイ基板１１ｂの端面１１ｂＥＦへの入光を遮光部３０によって遮光することで、液晶パネル１１への光漏れを効果的に抑制することができる。
【００７９】
また、遮光部３０は、アレイ基板１１ｂ及びＣＦ基板１１ａの各端面１１ａＥＦ，１１ｂＥＦにそれぞれ接する形で配されている。このようにすれば、液晶パネル１１を構成する一対の基板１１ａ，１１ｂの各端面１１ａＥＦ，１１ｂＥＦへの入光を遮光部３０によってそれぞれ遮光することで、液晶パネル１１への光漏れをより確実に防ぐことができる。
【００８０】
また、アレイ基板１１ｂは、その端部１１ｂＥＰがＣＦ基板１１ａの端面１１ａＥＦよりも外側に突き出す形で配されており、遮光部３０は、アレイ基板１１ｂの端部１１ｂＥＰにおける導光板１６側とは反対側の板面１１ｂＥＰＳにも接する形で配されている。このようにすれば、ＣＦ基板１１ａの端面１１ａＥＦよりも外側に突き出すアレイ基板１１ｂの端部１１ｂＥＰにおける導光板１６側とは反対側の板面１１ｂＥＰＳへの入光をも遮光部３０によって遮光することで、液晶パネル１１への光漏れをさらに確実に防ぐことができる。
【００８１】
また、遮光部３０は、液晶パネル１１における導光板１６側の板面よりも導光板１６側に突き出す形で配されている。このようにすれば、遮光部３０を液晶パネル１１の端面１１ａＥＦ，１１ｂＥＦに対して接した状態により確実に保つことができるから、液晶パネル１１への光漏れをより確実に防ぐことができる。
【００８２】
また、液晶パネル１１と導光板１６との間に挟まれる形で介在する光学部材１５が備えられており、遮光部３０のうち液晶パネル１１における導光板１６側の板面よりも導光板１６側に突き出す部分は、光学部材１５の端面１５ＥＦに対して隙間を空けつつ対向して配されている。このようにすれば、遮光部３０のうち液晶パネル１１における導光板１６側の板面よりも導光板１６側に突き出す部分によって、光学部材１５の端面１５ＥＦに対して少なくとも遮光部３０よりも外側に存する光が直接入光し難くすることが可能とされる。また、遮光部３０と光学部材１５の端面１５ＥＦとの間に隙間が空けられることで、光学部材１５が熱膨張に伴って伸長するのが許容され、光学部材１５に撓みやしわなどが生じ難くなっている。
【００８３】
また、導光板１６は、その端部１６ＥＰが液晶パネル１１の端面１１ａＥＦ，１１ｂＥＦよりも外側に突き出す形で配されるのに対し、一対の保持部であるフレーム１３及びシャーシ１４のうち表示面１１ｃ側に配される保持部であるフレーム１３から導光板１６側に突出するとともに導光板１６の端部１６ＥＰを表示面１１ｃ側から支持する導光板支持部２３が設けられており、導光板支持部２３は、少なくとも導光板支持部２３よりも外側に存する光が液晶パネル１１の端部１１ａＥＰ，１１ｂＥＰ側に入光するのを遮光するとともに、遮光部３０に対して外側に隣り合う形で配されている。このようにすれば、遮光部３０に対して外側に隣り合う形で配される導光板支持部２３によって少なくともそれよりも外側に存する光が液晶パネル１１の端部１１ａＥＰ，１１ｂＥＰ側に入光するのが遮光されるから、遮光部３０と相まって液晶パネル１１の端面１１ａＥＦ，１１ｂＥＦへの直接の入光をより確実に遮光することができ、高い遮光性能が得られる。
【００８４】
＜実施形態２＞
本発明の実施形態２を図１４によって説明する。この実施形態２では、遮光部１３０の形状を変更したものを示す。なお、上記した実施形態１と同様の構造、作用及び効果について重複する説明は省略する。
【００８５】
本実施形態に係る遮光部１３０は、図１４に示すように、断面形状が略Ｌ字型をなしており、液晶パネル１１１における表側のＣＦ基板１１１ａの端面１１１ａＥＦとの間に隙間Ｃを有する形で配されている。詳しくは、遮光部１３０の内側部分１３０ａは、その裏側の面がパネル押さえ部１２９における裏側の面（ＣＦ基板１１１ａの端部１１１ａＥＰに対する当接面）と面一状をなしており、ＣＦ基板１１１ａの端部１１１ａＥＰにおける端面１１１ａＥＦ及びアレイ基板１１１ｂの端部１１１ｂＥＰにおける表側の板面１１１ｂＥＰＳとは非接触とされている。そして、遮光部１３０の内側部分１３０ａは、アレイ基板１１１ｂの端部１１１ｂＥＰにおける表側の板面１１１ｂＥＰＳに対して隙間Ｃを空けつつ対向状に配されており、外側部分１３０ｂは、ＣＦ基板１１１ａの端部１１１ａＥＰにおける端面１１１ａＥＦに対して隙間Ｃを空けつつ対向状に配されている。従って、遮光部１３０は、その外側部分１３０ｂがアレイ基板１１１ｂの端部１１１ｂＥＰにおける端面１１１ｂＥＦにのみ接していることになり、上記した実施形態１に比べると、液晶パネル１１１に対する接触面積が減少されている。これにより、パネル押さえ部１２９及び遮光部１３０に対して液晶パネル１１１を組み付ける際に生じる接触抵抗が低くなるから、組付作業性を向上させることができる。特に、パネル押さえ部１２９及び遮光部１３０は、ゴム材料からなるため、他の合成樹脂材料や金属材料に比べると摩擦抵抗が高くなっているので、効果的である。
【００８６】
以上説明したように本実施形態によれば、アレイ基板１１１ｂは、その端部１１１ｂＥＰがＣＦ基板１１１ａの端面１１１ａＥＦよりも外側に突き出す形で配されており、遮光部１３０は、ＣＦ基板１１１ａの端面１１１ａＥＦとの間に隙間Ｃを有する形で配されている。このようにすれば、遮光部１３０とＣＦ基板１１１ａの端面１１１ａＥＦとの間に隙間Ｃを確保することで、例えば液晶パネル１１１を組み付けるときに生じる接触抵抗を低減することができ、組み付け性に優れる。
【００８７】
＜実施形態３＞
本発明の実施形態３を図１５によって説明する。この実施形態３では、上記した実施形態２から遮光部２３０の形状をさらに変更したものを示す。なお、上記した実施形態２と同様の構造、作用及び効果について重複する説明は省略する。
【００８８】
本実施形態に係る遮光部２３０は、図１５に示すように、隙間Ｃに臨む面３１が断面円弧状に形成されている。詳しくは、遮光部２３０のうち内側部分２３０ａは、内側（パネル押さえ部２２９側）の端位置から外側（外側部分２３０ｂ側）の端位置に至るまで、次第に高さ（厚み）が増しており、その裏側の面、つまり隙間Ｃに臨む面３１の断面形状が略円弧状（曲線状、湾曲形状）とされている。隙間Ｃに臨む面３１は、遮光部２３０の内側部分２３０ａにおける内端位置では、パネル押さえ部２２９とほぼ面一状をなしているのに対し、内側部分２３０ａにおける外端位置では、液晶パネル２１１のうち裏側のアレイ基板２１１ｂにおける端部２１１ｂＥＰの表側の板面２１１ｂＥＰＳとＺ軸方向についてほぼ同じ高さ位置に達している。従って、遮光部２３０の内側部分２３０ａは、その高さが内端位置から外端位置にかけてアレイ基板２１１ｂの板厚とほぼ同じ大きさ分増加していることになり、内側部分２３０ａと外側部分２３０ｂとの境界部分の補強が図られている。これにより、例えば、液晶パネル２１１をパネル押さえ部２２９及び遮光部２３０に対して載置する作業を行う場合に、液晶パネル２１１の各端部２１１ａＥＰ，２１１ｂＥＰが遮光部２３０に緩衝したとき、遮光部２３０の内側部分２３０ａと外側部分２３０ｂとの境界位置に大きな応力が作用しても、その境界位置に切れなどが発生し難くなる。もって、遮光部２３０を所望の形状に維持することができ、遮光部２３０が液晶パネル２１１の端面２１１ｂＥＦに接した状態に保つことができる。
【００８９】
以上説明したように本実施形態によれば、遮光部２３０及びパネル押さえ部２２９は、一体形成されるとともに隙間に臨む面３１が断面円弧状に形成されている。このようにすれば、遮光部２３０の補強が図られているので、液晶パネル１１を組み付ける際に遮光部２３０にアレイ基板２１１ｂの端面２１１ｂＥＦが接するのに伴って、遮光部２３０に応力が作用した場合でも、遮光部２３０とパネル押さえ部２２９との間に切れなどが生じ難くなる。これにより、遮光部２３０をアレイ基板２１１ｂの端面２１１ｂＥＦに接した状態に保つことができる。
【００９０】
＜実施形態４＞
本発明の実施形態４を図１６によって説明する。この実施形態４では、上記した実施形態１から遮光部３３０の形状を変更したものを示す。なお、上記した実施形態１と同様の構造、作用及び効果について重複する説明は省略する。
【００９１】
本実施形態に係る遮光部３３０は、図１６に示すように、その外側部分３３０ｂが導光板３１６の端部３１６ＥＰに接する形で配されている。詳しくは、遮光部３３０の外側部分３３０ｂは、その高さ寸法がフレーム３１３の基壁部３１３ａの裏側の面から導光板３１６の光出射面３１６ａに至るまでの距離とほぼ等しくなっている。従って、遮光部３３０の外側部分３３０ｂにおける裏側の面（基壁部３１３ａからの突出先端面）が、導光板３１６のうち液晶パネル３１１から外側に突き出した端部３１６ＥＰにおける光出射面３１６ａに当接されている。これにより、遮光部３３０は、その外側に存する光が液晶パネル３１１の端部３１１ａＥＰ，３１１ｂＥＰや光学部材３１５の端面３１５ＥＦへと一層入射し難くすることができるとともに、導光板支持部３２３と共に導光板３１６を表側から二重に支持することができる。
【００９２】
＜実施形態５＞
本発明の実施形態５を図１７によって説明する。この実施形態５では、上記した実施形態１から遮光部４３０の形状を変更したものを示す。なお、上記した実施形態１と同様の構造、作用及び効果について重複する説明は省略する。
【００９３】
本実施形態に係る遮光部４３０は、図１７に示すように、導光板支持部４２３の内側の面に接する形で配されている。詳しくは、遮光部４３０の外側部分４３０ｂは、その幅寸法（Ｘ軸方向についての寸法及びＹ軸方向についての寸法）が、液晶パネル４１１のアレイ基板４１１ｂにおける端面４１１ＥＦと導光板支持部４２３の内側の面との間の距離とほぼ等しくなる大きさとされており、外側部分４３０ｂにおける外側の面が導光板支持部４２３の内側の面に接触されている。従って、パネル押さえ部４２９及び遮光部４３０は、外側の導光板支持部４２３と、内側の位置決め部４２４との間に挟み込まれる形で配されていることになる。このようにすれば、パネル押さえ部４２９及び遮光部４３０をフレーム４１３に組み付ける際に、導光板支持部４２３と位置決め部４２４とによってより正確な位置に位置決めを図ることができる。
【００９４】
＜実施形態６＞
本発明の実施形態６を図１８または図１９によって説明する。この実施形態６では、上記した実施形態２に記載した遮光部５３０の構造を変更し、遮光部５３０及びパネル押さえ部５２９を２部品構成としたものを示す。なお、上記した実施形態２と同様の構造、作用及び効果について重複する説明は省略する。
【００９５】
本実施形態に係る遮光部５３０は、図１８及び図１９に示すように、外側部分５３０の一部が別部品とされている。詳しくは、パネル押さえ部５２９及び遮光部５３０は、パネル押さえ部５２９と、遮光部５３０の内側部分５３０ａと、外側部分５３０ｂのうち内側部分５３０ａに連なる基端部５３０ｂ１とを一体に備える第１部品３２と、遮光部５３０の外側部分５３０ｂのうち内側部分５３０ａよりも裏側に突き出す突出部分５３０ｂ２のみを備える第２部品３３とからなり、２部品構成となっている。このうち、第１部品３２は、断面形状が全幅にわたってほぼ一定の厚さの平板状に形成されている。
【００９６】
一方、第２部品３３は、ソース側フレキシブル基板５２６と平面に視て重畳しない部分が第１部品３２に接しているのに対し（図１８）、ソース側フレキシブル基板５２６と平面に視て重畳する部分に、ソース側フレキシブル基板５２６を挿通するフレキシブル基板挿通凹部３３ａが形成されている（図１９）。つまり、第２部品３３は、液晶パネル５１１の各辺に沿って延在する角棒状をなすとともに、その表側の面におけるソース側フレキシブル基板５２６と平面視重畳する箇所にフレキシブル基板挿通凹部３３ａが間欠形成されることで櫛歯状に形成されている。なお、第２部品３３には、図示しないゲート側フレキシブル基板と平面に視て重畳する部分にも上記と同様にゲート側フレキシブル基板を挿通するフレキシブル基板挿通凹部３３ａが形成されている。
【００９７】
そして、第２部品３３は、液晶パネル５１１のアレイ基板５１１ｂにおける端面５１１ｂＥＦのうち、各フレキシブル基板５２６と平面視重畳する部分と、各フレキシブル基板５２６と平面視重畳しない部分とのいずれに対しても接触している。これにより、液晶パネル５１１のアレイ基板５１１ｂにおける端面５１１ｂＥＦを全域にわたって遮光部５３０により覆って遮光を図ることができる。また、第１部品３２及び第２部品３３は、弾性材料であり且つ遮光材料である同じゴム材料からなる。また、第１部品３２のうち第２部品３３に接する面には、保持凹部３２ａが形成されているのに対し、第２部品３３のうち第１部品３２に接する面には、保持凹部３２ａに対して凹凸嵌合されることで、第２部品３３を第１部品３２に取付状態に保持する保持凸部３３ｂが形成されている。
【００９８】
なお、組み付けに際しては、フレーム５１３に対して第１部品３２を予め取り付けておき、その状態で液晶パネル５１１を第１部品３２（パネル押さえ部５２９）に対して載置する。その後、第２部品３３を第１部品３２に対して取り付けるのであるが、このとき第２部品３３のフレキシブル基板挿通凹部３３ａに各フレキシブル基板５２６が挿通されるとともに、第２部品３３が有する遮光部５３０の外側部分５３０ｂにおける突出部分５３０ｂ２がアレイ基板５１１ｂの端面５１１ｂＥＦに対して全域にわたって当接される。
【００９９】
＜他の実施形態＞
本発明は上記記述及び図面によって説明した実施形態に限定されるものではなく、例えば次のような実施形態も本発明の技術的範囲に含まれる。
（１）上記した各実施形態では、遮光部が液晶パネルのうちＣＦ基板及びアレイ基板の各端面に接するものや、ＣＦ基板の端面とは非接触であるもののアレイ基板の端面には接するものを示したが、遮光部がアレイ基板の端面とは非接触であるものの、ＣＦ基板の端面には接するものも本発明に含まれる。
【０１００】
（２）上記した各実施形態では、遮光部の外側部分が液晶パネルの裏側の板面よりも裏側に突き出す形状とされたものを示したが、遮光部の外側部分が液晶パネルの裏側の板面と面一状をなす形状とされたものや、遮光部の外側部分が液晶パネルの裏側の板面よりも表側に引っ込んだ形状とされたものも本発明に含まれる。このうち後者においては、遮光部の外側部分が、液晶パネルのアレイ基板における端面に対して板厚方向（Ｚ軸方向）について部分的に接する配置とすることが可能である。
【０１０１】
（３）上記した各実施形態では、遮光部の幅寸法が一定とされたものを示したが、例えば、遮光部の幅寸法が表側（フレーム側）から裏側（導光板側）に向けて次第に減少するよう、遮光部を先細り形状とすることも可能である。
【０１０２】
（４）上記した各実施形態では、パネル押さえ部及び遮光部がフレームの各分割フレーム毎に分割されたものを示したが、フレームを分割構造としつつも、パネル押さえ部及び遮光部については分割せずに略枠状の一部品からなる構成としたものも本発明に含まれる。
【０１０３】
（５）上記した各実施形態では、フレームを各辺毎に分割したものを示したが、フレームを分割せずに略枠状の一部品からなる構成としたものも本発明に含まれる。
【０１０４】
（６）上記した実施形態３において、遮光部における隙間に臨む面の具体的な形状（曲率など）は適宜に変更可能である。
【０１０５】
（７）上記した実施形態４では、遮光部により導光板を支持するようにしているので、フレームの導光板支持部を省略することも可能である。
【０１０６】
（８）上記した実施形態６では、遮光部の一部を別部品化することで、液晶パネルの端部及び端面のうちフレキシブル基板と重畳する部分についても遮光を図るものを示したが、パネル押さえ部及び遮光部を一部品にしつつも、液晶パネルの端部及び端面のうちフレキシブル基板と重畳する部分の遮光を図る構成を採ることができる。具体的には、遮光部のうち、フレキシブル基板挿通溝部の溝縁に弾性変形可能な片部を突出形成して、その片部をフレキシブル基板の裏側に重なり合う形で配置するとともに、片部を液晶パネルの端部及び端面のうちフレキシブル基板と重畳する部分に当接させることで、その部分の遮光を図ることができる。この構成では、組み付けに際しては、片部を弾性変形させることで、フレキシブル基板を通すようにすればよい。
【０１０７】
（９）上記した実施形態６では、パネル押さえ部及び遮光部を構成する第１部品と第２部品とが同一材料からなるものを示したが、第１部品と第２部品とで材料を異ならせることができる。例えば、第１部品と第２部品とに弾性率が異なる弾性材料を用いることが可能である。それ以外にも、例えば、第１部品に遮光性を有さない透光性材料を用い、第２部品に遮光性材料を用いることも可能である。
【０１０８】
（１０）上記した実施形態１から５では、パネル押さえ部と遮光部とを一体形成することで両者が同一材料からなるものを示したが、例えばパネル押さえ部と遮光部とを二色成形することで、パネル押さえ部の材料と遮光部の材料とを異ならせることも可能である。
【０１０９】
（１１）上記した各実施形態では、パネル押さえ部及び遮光部は、表面が黒色を呈する材料により構成されたものを示したが、黒色以外の色を呈する材料によりパネル押さえ部及び遮光部を構成することも可能である。
【０１１０】
（１２）上記した各実施形態では、パネル押さえ部及び遮光部は、表面が黒色を呈する材料により構成されたものを示したが、例えば、パネル押さえ部及び遮光部を、黒色以外の色を呈する材料により構成し、表面に黒色の塗料を塗布するようにしても構わない。
【０１１１】
（１３）上記した各実施形態では、ＬＥＤユニット（ＬＥＤ基板）が導光板における両長辺側の端部にそれぞれ対向するよう一対配されるものを示したが、例えばＬＥＤユニットが導光板における両短辺側の端部にそれぞれ対向するよう一対配されるものも本発明に含まれる。
【０１１２】
（１４）上記した（１３）以外にも、ＬＥＤユニット（ＬＥＤ基板）を導光板における両長辺及び両短辺の各端部に対してそれぞれ対向するよう一対ずつ、合計４つ配したものや、逆にＬＥＤユニットを導光板における一方の長辺または一方の短辺の端部に対してのみ対向するよう１つ配したものも本発明に含まれる。また、ＬＥＤユニットを導光板における任意の３辺の各端部に対してそれぞれ対向するよう３つ配したものも本発明に含まれる。
【０１１３】
（１５）上記した各実施形態では、ＬＥＤユニット（ＬＥＤ基板、放熱部材）が導光板における１辺に対して２つ配置されるものを示したが、ＬＥＤユニットを導光板における１辺に対して１つまたは３つ以上配置するようにしてもよい。
【０１１４】
（１６）上記した各実施形態では、液晶パネルのうち一方の長辺側の端部にソース側フレキシブル基板を接続したものを示したが、一対の長辺側の端部に対してそれぞれソース側フレキシブル基板を接続する構成としてもよい。同様に、液晶パネルのうち一対の短辺側の端部にゲート側フレキシブル基板をそれぞれ接続する構成としてもよい。
【０１１５】
（１７）上記した各実施形態以外にも、ゲート側フレキシブル基板を省略したものや、ソース側フレキシブル基板を省略したものも本発明に含まれる。
【０１１６】
（１８）上記した各実施形態では、フレーム及びシャーシが共に液晶表示装置の外観を構成する外観部材とされるものを示したが、例えばシャーシについてはその裏面側に別途に用意した外観部品を装着して覆うようにすることで、シャーシが外部に露出しないようにしたものも本発明に含まれる。それ以外にも、フレーム及びシャーシを、別途に用意した外観部品によって共に覆うようにすることで、フレーム及びシャーシが外部に露出しないようにしたものも本発明に含まれる。
【０１１７】
（１９）上記した各実施形態では、外観部材を構成するシャーシ及びフレームが金属製とされるものを示したが、シャーシとフレームとのいずれか一方または双方を合成樹脂製としたものも本発明に含まれる。この構成は、液晶表示装置に要求される機械的強度がそれほど高くない中小型の機種に採用するのが好ましい。
【０１１８】
（２０）上記した各実施形態では、電源基板にＬＥＤへの電力を供給する機能を持たせたものを示したが、ＬＥＤへ電力を供給するＬＥＤ駆動基板を電源基板から独立させるようにしたものも本発明に含まれる。
【０１１９】
（２１）上記した各実施形態では、メイン基板にチューナー部を設けるようにしたものを示したが、チューナー部を有するチューナー基板をメイン基板から独立させるようにしたものも本発明に含まれる。
【０１２０】
（２２）上記した各実施形態では、液晶パネルが有するカラーフィルタの着色部をＲ，Ｇ，Ｂの３色としたものを例示したが、着色部を４色以上とすることも可能である。
【０１２１】
（２３）上記した各実施形態では、光源としてＬＥＤを用いたものを示したが、有機ＥＬなどの他の光源を用いることも可能である。
【０１２２】
（２４）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１２３】
（２６）上記した各実施形態では、表示パネルとして液晶パネルを用いた液晶表示装置を例示したが、他の種類の表示パネルを用いた表示装置にも本発明は適用可能である。
【０１２４】
（２７）上記した各実施形態では、チューナー部を備えたテレビ受信装置を例示したが、チューナー部を備えない表示装置にも本発明は適用可能である。具体的には、電子看板（デジタルサイネージ）や電子黒板として使用される液晶表示装置にも本発明は適用することができる。
【符号の説明】
【０１２５】
１０…液晶表示装置（表示装置）、１１，１１１，２１１，３１１，４１１，５１１…液晶パネル（表示パネル）、１１ａ，１１１ａ…ＣＦ基板（第２基板）、１１ｂ，１１１ｂ，２１１ｂ，４１１ｂ，５１１ｂ…アレイ基板（第１基板）、１１ｃ…表示面、１１ａＥＦ，１１１ａＥＦ…端面、１１ｂＥＦ，２１１ｂＥＦ，４１１ｂＥＦ，５１１ｂＥＦ…端面、１１ｂＥＰ，１１１ｂＥＰ，２１１ｂＥＰ，３１１ｂＥＰ…端部、１１ｂＥＰＳ，１１１ｂＥＰＳ，２１１ｂＥＰＳ…板面、１２…バックライト装置（照明装置）、１３，３１３，４１３，５１３…フレーム（保持部）、１４…シャーシ（保持部）、１５，３１５…光学部材、１５ＥＦ，３１５ＥＦ…端面、１６，３１６…導光板、１６ＥＰ，３１６ＥＰ…端面、１７…ＬＥＤ（光源）、２３，３２３，４２３…導光板支持部、２４，４２４…位置決め部、２９，１２９，２２９，４２９，５２９…パネル押さえ部、３０，１３０，２３０，３３０，４３０，５３０…遮光部、３１…面、Ｃ…隙間、ＨＭ…保持部材、ＴＶ…テレビ受信装置
【図１】
2013171619.tif 000003
【図２】
2013171619.tif 000004
【図３】
2013171619.tif 000005
【図４】
2013171619.tif 000006
【図５】
2013171619.tif 000007
【図６】
2013171619.tif 000008
【図７】
2013171619.tif 000009
【図８】
2013171619.tif 000010
【図９】
2013171619.tif 000011
【図１０】
2013171619.tif 000012
【図１１】
2013171619.tif 000013
【図１２】
2013171619.tif 000014
【図１３】
2013171619.tif 000015
【図１４】
2013171619.tif 000016
【図１５】
2013171619.tif 000017
【図１６】
2013171619.tif 000018
【図１７】
2013171619.tif 000019
【図１８】
2013171619.tif 000020
【図１９】
2013171619.tif 000021